(57)【要約】本願の実施形態は、通信方法及び通信装置を提供する。方法は、インターネット・オブ・シングスプラットフォームによって、端末のサービングセルの過去の負荷を取得することと、インターネット・オブ・シングスプラットフォームによって、サービングセルの過去の負荷に基づいて端末のデータ報告時間を決定することと、前記インターネット・オブ・シングスプラットフォームによって、端末がデータを報告する時間を端末へ送信することとを含む。この実施形態で、端末のデータ報告時間は、サービングセルの過去の負荷と、端末がデータを報告可能である時間範囲とに基づいて、決定される。従って、決定されたデータ報告時間は、例えば、データが報告可能である時間範囲の中でサービングセルの負荷が最も軽い時間であることができる。このようにして、大量の端末が同時にデータを報告することが回避可能であり、ネットワーク輻輳が回避可能であり、かつ、ネットワーク利用及びデータ報告成功率が改善可能であるように、端末は交互にデータを報告することができる。
2021516908.tif 000002
【特許請求の範囲】
【請求項１】
インターネット・オブ・シングスプラットフォームによって、端末のサービングセルの過去の負荷を取得することと、
前記インターネット・オブ・シングスプラットフォームによって、前記サービングセルの前記過去の負荷に基づいて前記端末のデータ報告時間を決定することと、
前記インターネット・オブ・シングスプラットフォームによって、前記端末がデータを報告する時間を前記端末へ送信することと
を有する通信方法。
【請求項２】
前記インターネット・オブ・シングスプラットフォームによって、前記サービングセルの前記過去の負荷に基づいて前記端末のデータ報告時間を決定することは、
前記インターネット・オブ・シングスプラットフォームによって、前記サービングセルの前記過去の負荷に基づいて現在の時間から前もってセットされた期間内の前記サービングセルの予測される負荷を決定することと、
前記インターネット・オブ・シングスプラットフォームによって、前記現在の時間から前記前もってセットされた期間内の前記サービングセルの前記予測される負荷に基づいて前記端末の前記データ報告時間を決定することと
を有する、
請求項１に記載の方法。
【請求項３】
インターネット・オブ・シングスプラットフォームによって、端末のサービングセルの過去の負荷を取得することは、
前記インターネット・オブ・シングスプラットフォームによって、前記端末の前記サービングセルを含む少なくとも１つのセルの過去の負荷を取得することと、
前記インターネット・オブ・シングスプラットフォームによって、前記端末の前記サービングセルに基づいて前記少なくとも１つのセルの過去の負荷から前記サービングセルの過去の負荷を取得することと
を有する、
請求項１又は２に記載の方法。
【請求項４】
前記インターネット・オブ・シングスプラットフォームによって、少なくとも１つのセルの過去の負荷を取得することは、
前記インターネット・オブ・シングスプラットフォームによって、ネットワーク管理デバイスから前記少なくとも１つのセルの過去の負荷を取得することを有する、
請求項３に記載の方法。
【請求項５】
前記インターネット・オブ・シングスプラットフォームによって、少なくとも１つのセルの過去の負荷を取得することは、
前記インターネット・オブ・シングスプラットフォームによって、基地局から前記少なくとも１つのセルの過去の負荷を取得することを有し、
前記基地局は、前記端末のサービング基地局であり、前記少なくとも１つのセルは、前記基地局のカバレッジ内のセルである、
請求項３に記載の方法。
【請求項６】
前記インターネット・オブ・シングスプラットフォームによって、少なくとも１つのセルの過去の負荷を取得することは、
前記インターネット・オブ・シングスプラットフォームによって、サービス公開機能ネットワーク要素ＳＣＥＦから前記少なくとも１つのセルの過去の負荷を取得することを有する、
請求項３に記載の方法。
【請求項７】
前記インターネット・オブ・シングスプラットフォームによって、ＳＣＥＦから前記少なくとも１つのセルの過去の負荷を取得することは、
前記インターネット・オブ・シングスプラットフォームによって、前記過去の負荷を要求するために使用される情報、前記少なくとも１つのセルの識別情報、及び／又は基地局の識別情報を含む第１メッセージを前記ＳＣＥＦへ送信することであり、前記基地局は、前記端末のサービング基地局であり、前記少なくとも１つのセルは、前記基地局のカバレッジ内のセルである、前記第１メッセージを送信することと、
前記インターネット・オブ・シングスプラットフォームによって、前記ＳＣＥＦによって送信される前記少なくとも１つのセルの識別情報を受信することと
を有する、
請求項６に記載の方法。
【請求項８】
前記インターネット・オブ・シングスプラットフォームによって、前記端末がデータを報告可能である時間範囲を取得することを更に有し、
前記インターネット・オブ・シングスプラットフォームによって、前記サービングセルの前記過去の負荷に基づいて前記端末のデータ報告時間を決定することは、
前記インターネット・オブ・シングスプラットフォームによって、前記サービングセルの前記過去の負荷と、データが報告可能である前記時間範囲とに基づいて、前記端末の前記データ報告時間を決定することを有する、
請求項１乃至７のうちいずれか一項に記載の方法。
【請求項９】
前記インターネット・オブ・シングスプラットフォームによって、前記端末がデータを報告可能である時間範囲を取得することは、
前記インターネット・オブ・シングスプラットフォームによって、前記端末によって送信される、データが報告可能である前記時間範囲を受信することを有する、
請求項８に記載の方法。
【請求項１０】
前記インターネット・オブ・シングスプラットフォームによって、前記端末によって送信される、データが報告可能である前記時間範囲を受信することの前に、当該方法は、
前記インターネット・オブ・シングスプラットフォームによって、データが報告可能である前記時間範囲を要求するために使用される第１情報を前記端末へ送信することを更に有する、
請求項９に記載の方法。
【請求項１１】
前記インターネット・オブ・シングスプラットフォームによって、前記端末がデータを報告可能である時間範囲を取得することは、
前記インターネット・オブ・シングスプラットフォームによって、前記端末のサービスタイプに対応し、アプリケーションサーバによって送信される時間範囲であって、データが報告可能である該時間範囲を受信することを有する、
請求項８に記載の方法。
【請求項１２】
前記インターネット・オブ・シングスプラットフォームによって、前記端末のサービスタイプに対応し、アプリケーションサーバによって送信される時間範囲であって、データが報告可能である該時間範囲を受信することの前に、当該方法は、
前記インターネット・オブ・シングスプラットフォームによって、前記アプリケーションサーバによって送信された第２情報を受信することであり、該第２情報は、前記アプリケーションサーバによって供給されるサービスタイプを示すために使用され、前記アプリケーションサーバによって供給される前記サービスタイプは、前記端末のサービスタイプと同じである、前記第２情報を受信することと、
前記インターネット・オブ・シングスプラットフォームによって、前記アプリケーションサーバによって供給される前記サービスタイプと、前記少なくとも１つのセルの過去の負荷とに基づいて、少なくとも１つの時間範囲を決定することと、
前記インターネット・オブ・シングスプラットフォームによって、前記少なくとも１つの時間範囲を前記アプリケーションサーバへ送信することであり、前記少なくとも１つの時間範囲は、前記アプリケーションサーバによって、前記端末のサービスタイプに対応し、データが報告可能である前記時間範囲を前記少なくとも１つの時間範囲に基づいて決定するために使用される、前記少なくとも１つの時間範囲を送信することと
を更に有する、
請求項１１に記載の方法。
【請求項１３】
前記インターネット・オブ・シングスプラットフォームによって、前記端末によって送信される前記端末の報告タイプを受信することを更に有し、
前記報告タイプは、前記端末のデータ報告タイプが周期的な報告又はイベントによりトリガされる報告であることを示すために使用される、
請求項１乃至１２のうちいずれか一項に記載の方法。
【請求項１４】
前記端末の前記報告タイプがイベントによりトリガされる報告である場合に、前記インターネット・オブ・シングスプラットフォームによって、前記サービングセルの前記過去の負荷に基づいて前記端末のデータ報告時間を決定することの前に、当該方法は、
前記インターネット・オブ・シングスプラットフォームによって、前記アプリケーションサーバによって送信された第２メッセージを受信することを更に有し、
前記第２メッセージは、前記端末によって報告されるデータを要求するために使用される情報を含む、
請求項１３に記載の方法。
【請求項１５】
前記インターネット・オブ・シングスプラットフォームによって前記端末のデータ報告時間を決定することの後に、当該方法は、
前記インターネット・オブ・シングスプラットフォームによって、前記端末によって送信された第３メッセージを受信することであり、該第３メッセージは、前記端末の前記サービングセルが変化することを示すために使用される情報と、該変化したサービングセルに関する情報とを含む、前記第３メッセージを受信することと、
前記インターネット・オブ・シングスプラットフォームによって、前記変化したサービングセルの過去の負荷に基づいて前記端末の前記データ報告時間を更新することと
を更に有する、
請求項１乃至１４のうちいずれか一項に記載の方法。
【請求項１６】
前記インターネット・オブ・シングスプラットフォームによって前記端末のデータ報告時間を決定することの後に、当該方法は、
前記インターネット・オブ・シングスプラットフォームによって、前記アプリケーションサーバ又は前記端末によって送信された第４メッセージを受信することであり、該第４メッセージは、前記端末がデータを報告可能である前記時間範囲が変化することを示すために使用される情報と、データが報告可能である前記変化した時間範囲とを含む、前記第４メッセージを受信することと、
前記インターネット・オブ・シングスプラットフォームによって、前記サービングセルの前記過去の負荷と、データが報告可能である前記変化した時間範囲とに基づいて、前記端末の前記データ報告時間を更新することと
を更に有する、
請求項８乃至１４のうちいずれか一項に記載の方法。
【請求項１７】
前記インターネット・オブ・シングスプラットフォームによって前記端末のデータ報告時間を決定することの後に、当該方法は、
前記インターネット・オブ・シングスプラットフォームによって、前記アプリケーションサーバ又は前記端末によって送信された第５メッセージを受信することであり、該第５メッセージは、前記端末の前記データ報告時間を変更するよう指示するために使用される情報を含む、前記第５メッセージを受信することと、
前記インターネット・オブ・シングスプラットフォームによって、前記サービングセルの前記過去の負荷に基づいて前記端末の前記データ報告時間を更新することと
を更に有する、
請求項１乃至１４のうちいずれか一項に記載の方法。
【請求項１８】
前記インターネット・オブ・シングスプラットフォームが請求項１乃至１７のうちいずれか一項に記載の方法を実行する前に、前記インターネット・オブ・シングスプラットフォームは、該インターネット・オブ・シングスプラットフォームによってセットされるデータ報告時間に実行されるデータ報告を前記端末がサポートすることを決定する、
請求項１乃至１７のうちいずれか一項に記載の方法。
【請求項１９】
前記インターネット・オブ・シングスプラットフォームが、該インターネット・オブ・シングスプラットフォームによってセットされるデータ報告時間に実行されるデータ報告を前記端末がサポートすることを決定する前に、当該方法は、
前記インターネット・オブ・シングスプラットフォームによって、前記端末によって送信された第３情報を受信することを更に有し、
前記第３情報は、前記インターネット・オブ・シングスプラットフォームによってセットされるデータ報告時間に実行されるデータ報告を前記端末がサポートすることを示すために使用される、
請求項１８に記載の方法。
【請求項２０】
端末によって、インターネット・オブ・シングスプラットフォームによって送信される前記端末のデータ報告時間を受信することと、
前記端末によって、前記データ報告時間に基づいて前記インターネット・オブ・シングスプラットフォームへデータを報告することと
を有する通信方法。
【請求項２１】
前記端末によって、該端末がデータを報告可能である時間範囲を前記インターネット・オブ・シングスプラットフォームへ送信することを更に有する、
請求項２０に記載の方法。
【請求項２２】
前記端末によって、該端末がデータを報告可能である時間範囲を前記インターネット・オブ・シングスプラットフォームへ送信することの前に、当該方法は、
前記端末によって、前記インターネット・オブ・シングスプラットフォームによって送信された第１情報を受信することを更に有し、
前記第１情報は、前記端末がデータを報告可能である前記時間範囲を要求するために使用される、
請求項２１に記載の方法。
【請求項２３】
前記端末によって、該端末の報告タイプを前記インターネット・オブ・シングスプラットフォームへ送信することを更に有し、
前記報告タイプは、前記端末によって実行されるデータ報告が周期的な報告又はイベントによりトリガされる報告であることを示すために使用される、
請求項２０乃至２２のうちいずれか一項に記載の方法。
【請求項２４】
前記端末によって、前記インターネット・オブ・シングスプラットフォームによって送信された更新されたデータ報告時間を受信することと、
前記端末によって、前記更新されたデータ報告時間に基づいて、前記インターネット・オブ・シングスプラットフォームへデータを報告することと
を更に有する、
請求項２０乃至２３のうちいずれか一項に記載の方法。
【請求項２５】
前記端末によって、該端末のサービングセルが変化することを示すために使用される情報と、該変化したサービングセルに関する情報とを含む第３メッセージを前記インターネット・オブ・シングスプラットフォームへ送信することを更に有する、
請求項２４に記載の方法。
【請求項２６】
前記端末によって、該端末がデータを報告可能である前記時間範囲が変化することを示すために使用される情報と、データが報告可能である前記変化した時間範囲とを含む第４メッセージを前記インターネット・オブ・シングスプラットフォームへ送信することを更に有する、
請求項２４に記載の方法。
【請求項２７】
前記端末によって、該端末の前記データ報告時間を変更するよう指示するために使用される情報を含む第５メッセージを前記インターネット・オブ・シングスプラットフォームへ送信することを更に有する、
請求項２６に記載の方法。
【請求項２８】
前記端末によって、該端末が、前記インターネット・オブ・シングスプラットフォームによってセットされる前記データ報告時間でデータを報告可能であることを示すために使用される第３情報を前記インターネット・オブ・シングスプラットフォームへ送信することを更に有する、
請求項２０乃至２７のうちいずれか一項に記載の方法。
【請求項２９】
メモリ及びプロセッサを有し、
前記メモリは、プログラム命令を記憶するよう構成され、
前記プロセッサは、前記メモリ内の前記プログラム命令を呼び出して、請求項１乃至１９のうちいずれか一項に記載の通信方法を実行するよう構成される、
インターネット・オブ・シングスプラットフォーム。
【請求項３０】
通信インターフェースを更に有し、
前記通信インターフェースは、請求項１乃至１９のうちいずれか一項に記載の受信及び送信動作を実行するよう構成される、
請求項２９に記載のインターネット・オブ・シングスプラットフォーム。
【請求項３１】
コンピュータプログラムを記憶しており、
前記コンピュータプログラムが実行される場合に、請求項１乃至１９のうちいずれか一項の通信方法が実施される、
読み出し可能な記憶媒体。
【請求項３２】
メモリ及びプロセッサを有し、
前記メモリは、プログラム命令を記憶するよう構成され、
前記プロセッサは、前記メモリ内の前記プログラム命令を呼び出して、請求項２０乃至２８のうちいずれか一項に記載の通信方法を実行するよう構成される、
端末。
【請求項３３】
通信インターフェースを更に有し、
前記通信インターフェースは、請求項２０乃至２８のうちいずれか一項に記載の受信及び送信動作を実行するよう構成される、
請求項３２に記載の端末。
【請求項３４】
コンピュータプログラムを記憶しており、
前記コンピュータプログラムが実行される場合に、請求項２０乃至２８のうちいずれか一項の通信方法が実施される、
読み出し可能な記憶媒体。
【発明の詳細な説明】
【技術分野】
【０００１】
本願の実施形態は、通信技術の分野に、特に、通信方法及び通信装置に関係がある。
【背景技術】
【０００２】
狭帯域インターネット・オブ・シングス（ＮＢ−ＩｏＴ）は、電力消費が低くかつ帯域幅が限られているワイド・エリア・ネットワークであり、同時に接続されるＮＢ−ＩｏＴ端末の量も限られている。垂直産業のインテリジェント進化とともに、ＮＢ−ＩｏＴの量は増えている。ＮＢ−ＩｏＴチップ／モジュールは、ＮＢ−ＩｏＴ端末の機能を実装するために、街灯、ガスメータ、水道メータ、シェアリングされている自転車、マンホール蓋、などのために開発されている。そのようなＮＢ−ＩｏＴ端末は、同時にＮＢ−ＩｏＴを使用することによってインターネット・オブ・シングスプラットフォームへデータを報告することがあり、例えば、同じコミュニティ内の全てのガスメータが同時に報告を行う可能性があり、あるいは、ガスメータがメッセージを報告しているときに、街灯が一緒にネットワークに登録し、それによってネットワーク輻輳が引き起こされる。
【０００３】
（同じ産業内の又は産業にまたがる）大量のＮＢ−ＩｏＴ端末が同時にＮＢ−ＩｏＴにアクセスすることを防ぐために、先行技術では、報告開始時間（Schedule  Start  Time）、ランダム報告ウィンドウ（Randomised  Delivery  Window）、報告周波数、などが端末ごとにセットされる。報告開始時間の後、端末は、指定されたランダム報告ウィンドウの時間範囲内であればいつでもインターネット・オブ・シングスプラットフォームへデータを報告する。更に、異なる報告開始時間および異なるランダム報告ウィンドウが端末ごとにセットされてよく、それにより、端末によって報告されるアップリンクメッセージは離散的であることができる。
【０００４】
しかしながら、先行技術では、各端末は、ランダム報告時間ウィンドウにおいていつでも報告を行う可能性がある。そのため、複数の端末が同時に報告を行い、それによって、ネットワーク輻輳及び報告失敗が引き起こされる可能性がある。
【発明の概要】
【０００５】
本願の実施形態は、端末のデータ報告によって引き起こされるネットワーク輻輳を回避しかつ端末のデータ報告の成功率を改善するための通信方法及び通信装置を提供する。
【０００６】
第１の態様に従って、本願の実施形態は、通信方法を提供する。方法は、インターネット・オブ・シングスプラットフォームによって、端末のサービングセルの過去の負荷を取得し、それから、サービングセルの過去の負荷に基づいて端末のデータ報告時間を決定し、それから、データ報告時間を端末へ送信することを含む。
【０００７】
可能な設計で、サービングセルの過去の負荷に基づいて端末のデータ報告時間を決定することは、インターネット・オブ・シングスプラットフォームによって、サービングセルの過去の負荷に基づいて、現在の時間から前もってセットされた期間内のサービングセルの予測される負荷を決定し、それから、現在の時間から前もってセットされた期間内のサービングセルの予測される負荷に基づいて端末のデータ報告時間を決定することを含む。
【０００８】
可能な設計で、インターネット・オブ・シングスプラットフォームによって端末のサービングセルの過去の負荷を取得することは、インターネット・オブ・シングスプラットフォームによって、端末の前記サービングセルを含む少なくとも１つのセルの過去の負荷を取得し、それから、端末のサービングセルに基づいて少なくとも１つのセルの過去の負荷からサービングセルの過去の負荷を取得することを含む。
【０００９】
可能な設計で、インターネット・オブ・シングスプラットフォームによって少なくとも１つのセルの過去の負荷を取得することは、インターネット・オブ・シングスプラットフォームによって、ネットワーク管理デバイスから少なくとも１つのセルの過去の負荷を取得することを含む。
【００１０】
可能な設計で、インターネット・オブ・シングスプラットフォームによって少なくとも１つのセルの過去の負荷を取得することは、代替的に、インターネット・オブ・シングスプラットフォームによって、基地局から前記少なくとも１つのセルの過去の負荷を取得することを含み、基地局は、端末のサービング基地局であり、少なくとも１つのセルは、基地局のカバレッジ内のセルである。
【００１１】
可能な設計で、インターネット・オブ・シングスプラットフォームによって少なくとも１つのセルの過去の負荷を取得することは、インターネット・オブ・シングスプラットフォームによって、サービス能力公開機能（ＳＣＥＦ）から少なくとも１つのセルの過去の負荷を取得することを含む。
【００１２】
可能な設計で、インターネット・オブ・シングスプラットフォームによってＳＣＥＦから少なくとも１つのセルの過去の負荷を取得することは、インターネット・オブ・シングスプラットフォームによって、過去の負荷を要求するために使用される情報、少なくとも１つのセルの識別情報、及び／又は基地局の識別情報を含む第１メッセージをＳＣＥＦへ送信し、それから、ＳＣＥＦによって送信される少なくとも１つのセルの識別情報を受信することを含み、基地局は、端末のサービング基地局であり、少なくとも１つのセルは、前記基地局のカバレッジ内のセルである。
【００１３】
可能な設計で、インターネット・オブ・シングスプラットフォームは、端末がデータを報告可能である時間範囲を更に取得する。
【００１４】
インターネット・オブ・シングスプラットフォームによってサービングセルの過去の負荷に基づいて端末のデータ報告時間を決定することは、インターネット・オブ・シングスプラットフォームによって、サービングセルの過去の負荷と、データが報告可能である時間範囲とに基づいて、端末のデータ報告時間を決定することを含む。
【００１５】
可能な設計で、インターネット・オブ・シングスプラットフォームによって、端末がデータを報告可能である時間範囲を取得することは、インターネット・オブ・シングスプラットフォームによって、端末によって送信される、データが報告可能である時間範囲を受信することを含む。
【００１６】
可能な設計で、端末によって送信される、データが報告可能である時間範囲を受信する前に、インターネット・オブ・シングスプラットフォームは、データが報告可能である時間範囲を要求するために使用される第１情報を端末へ更に送信する。
【００１７】
可能な設計で、インターネット・オブ・シングスプラットフォームによって、端末がデータを報告可能である時間範囲を取得することは、インターネット・オブ・シングスプラットフォームによって、端末のサービスタイプに対応し、アプリケーションサーバによって送信される時間範囲であって、データが報告可能である該時間範囲を受信することを含む。
【００１８】
可能な設計で、インターネット・オブ・シングスプラットフォームは、アプリケーションサーバによって送信された第２情報を更に受信し、第２情報は、アプリケーションサーバによって供給されるサービスタイプを示すために使用され、アプリケーションサーバによって供給されるサービスタイプは、端末のサービスタイプと同じである。それから、インターネット・オブ・シングスプラットフォームは、アプリケーションサーバによって供給されるサービスタイプと、少なくとも１つのセルの過去の負荷とに基づいて、少なくとも１つの時間範囲を決定し、少なくとも１つの時間範囲をアプリケーションサーバへ更に送信し、このとき、少なくとも１つの時間範囲は、アプリケーションサーバによって、端末のサービスタイプに対応し、データが報告可能である時間範囲を少なくとも１つの時間範囲に基づいて決定するために使用される。
【００１９】
可能な設計で、インターネット・オブ・シングスプラットフォームは、端末によって送信される、端末のサービングセルに関する情報を更に受信する。
【００２０】
可能な設計で、インターネット・オブ・シングスプラットフォームは、端末のサービングセルを取得するよう要求するために使用される情報を端末へ更に送信する。
【００２１】
可能な設計で、インターネット・オブ・シングスプラットフォームは、端末によって送信される端末の報告タイプを更に受信し、報告タイプは、端末のデータ報告タイプが周期的な報告又はイベントによりトリガされる報告であることを示すために使用される。
【００２２】
可能な設計で、インターネット・オブ・シングスプラットフォームは、端末の報告タイプを要求するために使用される情報を端末へ更に送信する。
【００２３】
可能な設計で、端末の報告タイプがイベントによりトリガされる報告である場合に、端末のサービングセルの過去の負荷に基づいて端末のデータ報告時間を決定する前に、インターネット・オブ・シングスプラットフォームは、アプリケーションサーバによって送信された第２メッセージを更に受信し、第２メッセージは、端末によって報告されるデータを要求するために使用される情報を含む。
【００２４】
可能な設計で、サービングセルの過去の負荷に基づいて端末のデータ報告時間を決定することは、端末がインターネット・オブ・シングスプラットフォームへ接続されることを検出した後に、インターネット・オブ・シングスプラットフォームによって、サービングセルの過去の負荷に基づいて端末のデータ報告時間を決定することを含む。
【００２５】
可能な設計で、端末のデータ報告時間を決定した後に、インターネット・オブ・シングスプラットフォームは、端末によって送信された第３メッセージを更に受信し、このとき、第３メッセージは、端末のサービングセルが変化することを示すために使用される情報と、変化したサービングセルに関する情報とを含み、それから、変化したサービングセルの過去の負荷に基づいて端末のデータ報告時間を更新する。
【００２６】
可能な設計で、端末のデータ報告時間を決定した後に、インターネット・オブ・シングスプラットフォームは、アプリケーションサーバ又は端末によって送信された第４メッセージを更に受信し、このとき、第４メッセージは、端末がデータを報告可能である時間範囲が変化することを示すために使用される情報と、データが報告可能である変化した時間範囲とを含み、それから、サービングセルの過去の負荷と、データが報告可能である変化した時間範囲とに基づいて、端末のデータ報告時間を更新する。
【００２７】
可能な設計で、端末のデータ報告時間を決定した後に、インターネット・オブ・シングスプラットフォームは、アプリケーションサーバによって送信された第５メッセージを更に受信し、このとき、第５メッセージは、端末のデータ報告時間を変更するよう要求するために使用される情報を含み、それから、サービングセルの過去の負荷に基づいて端末のデータ報告時間を更新する。
【００２８】
可能な設計で、インターネット・オブ・シングスプラットフォームが上記の可能な設計のうちいずれか１つに従う方法を実行する前に、インターネット・オブ・シングスプラットフォームは、インターネット・オブ・シングスプラットフォームによってセットされるデータ報告時間に実行されるデータ報告を端末がサポートすることを決定する。
【００２９】
可能な設計で、インターネット・オブ・シングスプラットフォームによってセットされるデータ報告時間に実行されるデータ報告を端末がサポートすることを決定する前に、インターネット・オブ・シングスプラットフォームは、端末によって送信された第３情報を更に受信し、第３情報は、インターネット・オブ・シングスプラットフォームによってセットされるデータ報告時間に端末がデータを報告可能であることを示すために使用される。
【００３０】
第２の態様に従って、本願の実施形態は、通信装置を提供する。装置は、
端末のサービングセルの過去の負荷を取得するよう構成される受信モジュールと、
サービングセルの過去の負荷に基づいて端末のデータ報告時間を決定するよう構成される処理モジュールと、
データ報告時間を端末へ送信するよう構成される送信モジュールと
を含む。
【００３１】
可能な設計で、処理モジュールは、特に、
サービングセルの過去の負荷に基づいて、現在の時間から前もってセットされた期間内のサービングセルの予測される負荷を決定し、
現在の時間から前もってセットされた期間内のサービングセルの予測される負荷に基づいて端末のデータ報告時間を決定する
よう構成される。
【００３２】
可能な設計で、受信モジュールは、特に、
端末の前記サービングセルを含む少なくとも１つのセルの過去の負荷を取得し、
端末のサービングセルに基づいて少なくとも１つのセルの過去の負荷からサービングセルの過去の負荷を取得する
よう構成される。
【００３３】
可能な設計で、受信モジュールは、特に、ネットワーク管理デバイスから少なくとも１つのセルの過去の負荷を取得するよう構成される。
【００３４】
可能な設計で、受信モジュールは、特に、基地局から少なくとも１つのセルの過去の負荷を取得するよう構成され、基地局は、端末のサービング基地局であり、少なくとも１つのセルは、基地局のカバレッジ内のセルである。
【００３５】
可能な設計で、受信モジュールは、特に、ＳＣＥＦから少なくとも１つのセルの過去の負荷を取得するよう構成される。
【００３６】
可能な設計で、送信モジュールは、受信モジュールがＳＣＥＦによって送信される少なくとも１つのセルの識別情報を受信する前に、第１メッセージをＳＣＥＥＦへ送信するよう更に構成され、第１メッセージは、過去の負荷を要求するために使用される情報、少なくとも１つのセルの識別情報、及び／又は基地局の識別情報を含み、
基地局は、端末のサービング基地局であり、少なくとも１つのセルは、前記基地局のカバレッジ内のセルである。
【００３７】
可能な設計で、受信モジュールは、端末がデータを報告可能である時間範囲を取得するよう更に構成される。処理モジュールは、特に、サービングセルの過去の負荷と、データが報告可能である時間範囲とに基づいて、端末のデータ報告時間を決定するよう構成される。
【００３８】
可能な設計で、受信モジュールは、特に、端末によって送信される、データが報告可能である時間範囲を受信するよう構成される。
【００３９】
可能な設計で、送信モジュールは、データが報告可能である時間範囲を要求するために使用される第１情報を端末へ送信するよう更に構成される。
【００４０】
可能な設計で、受信モジュールは、特に、端末のサービスタイプに対応し、アプリケーションサーバによって送信される時間範囲であって、データが報告可能である該時間範囲を受信し、端末がデータを報告可能である時間範囲として、端末のサービスタイプに対応し、データが報告である時間範囲を決定するよう構成される。
【００４１】
可能な設計で、受信モジュールは、アプリケーションサーバによって送信された第２情報を受信するよう更に構成され、第２情報は、アプリケーションサーバによって供給されるサービスタイプを示すために使用され、アプリケーションサーバによって供給されるサービスタイプは、端末のサービスタイプと同じである。処理モジュールは、アプリケーションサーバによって供給されるサービスタイプと、少なくとも１つのセルの過去の負荷とに基づいて、少なくとも１つの時間範囲を決定するよう更に構成される。送信モジュールは、少なくとも１つの時間範囲をアプリケーションサーバへ送信するよう更に構成され、少なくとも１つの時間範囲は、アプリケーションサーバによって、端末のサービスタイプに対応し、データが報告可能である時間範囲を少なくとも１つの時間範囲に基づいて決定するために使用される。
【００４２】
可能な設計で、受信モジュールは、端末によって送信される、端末のサービングセルに関する情報を受信するよう更に構成される。
【００４３】
可能な設計で、送信モジュールは、端末のサービングセルを取得するよう要求するために使用される情報を端末へ送信するよう更に構成される。
【００４４】
可能な設計で、受信モジュールは、端末によって送信される端末の報告タイプを受信するよう更に構成され、報告タイプは、端末のデータ報告タイプが周期的な報告又はイベントによりトリガされる報告であることを示すために使用される。
【００４５】
可能な設計で、送信モジュールは、端末の報告タイプを要求するために使用される情報を端末へ送信するよう更に構成される。
【００４６】
可能な設計で、端末の報告タイプがイベントによりトリガされる報告である場合に、受信モジュールは、アプリケーションサーバによって送信された第２メッセージを受信するよう更に構成され、第２メッセージは、端末によって報告されるデータを要求するために使用される情報を含む。
【００４７】
可能な設計で、処理モジュールは、特に、端末がインターネット・オブ・シングスプラットフォームへ接続されることを検出した後に、サービングセルの過去の負荷に基づいて端末のデータ報告時間を決定するよう構成される。
【００４８】
可能な設計で、受信モジュールは、処理モジュールが端末のデータ報告時間を決定した後に、端末によって送信された第３メッセージを受信するよう更に構成され、第３メッセージは、端末のサービングセルが変化することを示すために使用される情報と、変化したサービングセルに関する情報とを含む。
【００４９】
処理モジュールは、変化したサービングセルの過去の負荷に基づいて端末のデータ報告時間を更新するよう更に構成される。
【００５０】
可能な設計で、受信モジュールは、処理モジュールが端末のデータ報告時間を決定した後に、アプリケーションサーバによって送信された第４メッセージを受するよう更に構成され、第４メッセージは、端末がデータを報告可能である時間範囲が変化することを示すために使用される情報と、データが報告可能である変化した時間範囲とを含む。
【００５１】
処理モジュールは、サービングセルの過去の負荷と、データが報告可能である変化した時間範囲とに基づいて、端末のデータ報告時間を更新するよう更に構成される。
【００５２】
可能な設計で、受信モジュールは、処理モジュールが端末のデータ報告時間を決定した後に、アプリケーションサーバによって送信された第５メッセージを受信するよう更に構成され、第５メッセージは、端末のデータ報告時間を変更するよう指示するために使用される情報を含む。
【００５３】
処理モジュールは、サービングセルの過去の負荷に基づいて端末のデータ報告時間を更新するよう更に構成される。
【００５４】
可能な設計で、処理モジュールは、インターネット・オブ・シングスプラットフォームが第２の態様における本願の実施形態のいずれか１つに従う解決法を実行する前に、インターネット・オブ・シングスプラットフォームによってセットされるデータ報告時間に実行されるデータ報告を端末がサポートすることを決定するよう更に構成される。
【００５５】
可能な設計で、受信モジュールは、処理モジュールが、インターネット・オブ・シングスプラットフォームによってセットされるデータ報告時間に実行されるデータ報告を端末がサポートすることを決定する前に、端末によって送信された第３情報を受信するよう更に構成され、第３情報は、インターネット・オブ・シングスプラットフォームによってセットされるデータ報告時間に端末がデータを報告可能であることを示すために使用される。
【００５６】
第３の態様に従って、本願の実施形態は、通信装置を提供する。通信装置は、メモリ及びプロセッサを含む。メモリは、プログラム命令を記憶するよう構成され、プロセッサは、メモリ内のプログラム命令を呼び出して、第１の態様の通信方法を実行するよう構成される。
【００５７】
可能な設計で、通信装置は、通信インターフェースを更に含み、通信インターフェースは、第１の態様における受信及び送信動作を実行するよう構成される。
【００５８】
第２の態様又は第３の態様の通信装置は、インターネット・オブ・シングスプラットフォームであってよく、あるいは、インターネット・オブ・シングスプラットフォームのために使用され得るコンポーネントであってよい、ことが留意されるべきである。
【００５９】
第４の態様に従って、本願の実施形態は、読み出し可能な媒体を提供する。読み出し可能な媒体は、コンピュータプログラムを記憶しており、コンピュータプログラムが実行される場合に、第１の態様における本願の実施形態のいずれか１つに従う通信方法が実施される。
【００６０】
第５の態様に従って、本願の実施形態は、通信方法を提供する。通信方法は、端末によって、インターネット・オブ・シングスプラットフォームによって送信される端末のデータ報告時間を受信し、それから、データ報告時間に基づいてインターネット・オブ・シングスプラットフォームへデータを報告することを含む。
【００６１】
可能な設計で、端末は、端末がデータを報告可能である時間範囲をインターネット・オブ・シングスプラットフォームへ更に送信する。
【００６２】
可能な設計で、端末は、インターネット・オブ・シングスプラットフォームによって送信された第１情報を更に受信し、第１情報は、端末がデータを報告可能である時間範囲を要求するために使用される。
【００６３】
可能な設計で、端末は、端末のサービングセルに関する情報をインターネット・オブ・シングスプラットフォームへ更に送信する。
【００６４】
可能な設計で、端末は、インターネット・オブ・シングスプラットフォームによって送信され、端末のサービングセルを取得するよう要求するために使用される情報を更に受信する。
【００６５】
可能な設計で、端末は、端末の報告タイプをインターネット・オブ・シングスプラットフォームへ更に送信し、報告タイプは、端末のデータ報告タイプが周期的な報告又はイベントによりトリガされる報告であることを示すために使用される。
【００６６】
可能な設計で、端末は、インターネット・オブ・シングスプラットフォームによって送信され、端末の報告タイプを要求するために使用される情報を更に受信する。
【００６７】
可能な設計で、端末は、インターネット・オブ・シングスプラットフォームによって送信された更新されたデータ報告時間を更に受信し、それから、更新されたデータ報告時間に基づいてインターネット・オブ・シングスプラットフォームへデータを報告する。
【００６８】
可能な設計で、端末は、端末のサービングセルが変化することを示すために使用される情報と、変化したサービングセルに関する情報とを含む第３メッセージをインターネット・オブ・シングスプラットフォームへ更に送信する。
【００６９】
可能な設計で、端末は、端末がデータを報告可能である時間範囲が変化することを示すために使用される情報と、データが報告可能である変化した時間範囲とを含む第４メッセージをインターネット・オブ・シングスプラットフォームへ更に送信する。
【００７０】
可能な設計で、端末は、端末のデータ報告時間を変更するよう指示するために使用される情報を含む第５メッセージをインターネット・オブ・シングスプラットフォームへ更に送信する。
【００７１】
可能な設計で、端末は、インターネット・オブ・シングスプラットフォームによってセットされるデータ報告時間で端末がデータを報告可能であることを示すために使用される第３情報をインターネット・オブ・シングスプラットフォームへ更に送信する。
【００７２】
第６の実施形態に従って、本願の実施形態は、通信装置を提供する。装置は、
インターネット・オブ・シングスプラットフォームによって送信される端末のデータ報告時間を受信するよう構成される受信モジュールと、
データ報告時間に基づいてインターネット・オブ・シングスプラットフォームへデータを送信するよう構成される送信モジュールと
を含む。
【００７３】
可能な設計で、送信モジュールは、端末がデータを報告可能である時間範囲をインターネット・オブ・シングスプラットフォームへ送信するよう更に構成される。
【００７４】
可能な設計で、受信モジュールは、送信モジュールが、インターネット・オブ・シングスプラットフォームに対して、端末がデータを報告可能である時間範囲を送信する前に、インターネット・オブ・シングスプラットフォームによって送信された第１情報を受信するよう更に構成され、第１情報は、端末がデータを報告可能である時間範囲を要求するために使用される。
【００７５】
可能な設計で、送信モジュールは、端末のサービングセルに関する情報をインターネット・オブ・シングスプラットフォームへ送信するよう更に構成される。
【００７６】
可能な設計で、受信モジュールは、インターネット・オブ・シングスプラットフォームによって送信され、端末のサービングセルを取得するよう要求するために使用される情報を受信するよう更に構成される。
【００７７】
可能な設計で、送信モジュールは、端末の報告タイプをインターネット・オブ・シングスプラットフォームへ送信するよう更に構成され、報告タイプは、端末のデータ報告タイプが周期的な報告又はイベントによりトリガされる報告であることを示すために使用される。
【００７８】
可能な設計で、受信モジュールは、インターネット・オブ・シングスプラットフォームによって送信され、端末の報告タイプを要求するために使用される情報を受信するよう更に構成される。
【００７９】
可能な設計で、受信モジュールは、インターネット・オブ・シングスプラットフォームによって送信された更新されたデータ報告時間を受信するよう更に構成され、送信モジュールは、更新されたデータ報告時間に基づいてインターネット・オブ・シングスプラットフォームへデータを報告するよう更に構成される。
【００８０】
可能な設計で、送信モジュールは、端末のサービングセルが変化することを示すために使用される情報と、変化したサービングセルに関する情報とを含む第３メッセージをインターネット・オブ・シングスプラットフォームへ送信するよう更に構成される。
【００８１】
可能な設計で、送信モジュールは、端末がデータを報告可能である時間範囲が変化することを示すために使用される情報と、データが報告可能である変化した時間範囲とを含む第４メッセージをインターネット・オブ・シングスプラットフォームへ送信するよう更に構成される。
【００８２】
可能な設計で、送信モジュールは、端末のデータ報告時間を変更するよう指示するために使用される情報を含む第５メッセージをインターネット・オブ・シングスプラットフォームへ送信するよう更に構成される。
【００８３】
可能な設計で、送信モジュールは、インターネット・オブ・シングスプラットフォームによってセットされるデータ報告時間で端末がデータを報告可能であることを示すために使用される第３情報をインターネット・オブ・シングスプラットフォームへ送信するよう更に構成される。
【００８４】
第７の態様に従って、本願の実施形態は、通信装置を提供する。通信装置は、メモリ及びプロセッサを含む。メモリは、プログラム命令を記憶するよう構成され、プロセッサは、メモリ内のプログラム命令を呼び出して、第５の態様の通信方法を実行するよう構成される。
【００８５】
可能な設計で、通信装置は、通信インターフェースを更に含み、通信インターフェースは、第５の態様における受信及び送信動作を実行するよう構成される。
【００８６】
第６の態様又は第７の態様の通信装置は、端末であってよく、あるいは、端末のために使用され得るコンポーネントであってよい、ことが留意されるべきである。
【００８７】
第８の態様に従って、本願の実施形態は、読み出し可能な媒体を提供する。読み出し可能な媒体は、コンピュータプログラムを記憶しており、コンピュータプログラムが実行される場合に、第５の態様における本願の実施形態のいずれか１つに従う通信方法が実施される。
【００８８】
第９の態様に従って、本願の実施形態は、通信方法を提供する。方法は、
アプリケーションサーバによって、端末のサービスタイプに対応し、データが報告可能である時間範囲をインターネット・オブ・シングスプラットフォームへ送信することを含む。
【００８９】
可能な実施で、アプリケーションサーバは、第２情報をインターネット・オブ・シングスプラットフォームへ更に送信し、第２情報は、アプリケーションサーバによって供給されるサービスタイプを示すために使用され、アプリケーションサーバによって供給されるサービスタイプは、端末のサービスタイプと同じである。
【００９０】
可能な実施で、アプリケーションサーバは、インターネット・オブ・シングスプラットフォームによって送信された少なくとも１つの時間範囲を更に受信し、
アプリケーションサーバは、少なくとも１つの時間範囲に基づいて、端末のサービスタイプに対応し、データが報告可能である時間範囲を決定する。
【００９１】
可能な実施で、アプリケーションサーバは、第２メッセージをインターネット・オブ・シングスプラットフォームへ更に送信し、第２メッセージは、端末によって報告されるデータを要求するために使用される情報を含む。
【００９２】
可能な実施で、アプリケーションサーバは、第４メッセージをインターネット・オブ・シングスプラットフォームへ更に送信し、第４メッセージは、端末がデータを報告可能である時間範囲が変化することを示すために使用される情報と、データが報告可能である変化した時間範囲とを含む。
【００９３】
可能な実施で、アプリケーションサーバは、第５メッセージをインターネット・オブ・シングスプラットフォームへ更に送信し、第５メッセージは、端末のデータ報告時間を変更するよう指示するために使用される情報を含む。
【００９４】
第１０の態様に従って、本願の実施形態は、通信装置を提供する。装置は、
端末のサービスタイプに対応し、データが報告可能である時間範囲をインターネット・オブ・シングスプラットフォームへ送信するよう構成される送信モジュールを含む。
【００９５】
可能な実施で、送信モジュールは、第２情報をインターネット・オブ・シングスプラットフォームへ送信するよう更に構成され、第２情報は、アプリケーションサーバによって供給されるサービスタイプを示すために使用され、アプリケーションサーバによって供給されるサービスタイプは、端末のサービスタイプと同じである。
【００９６】
可能な実施で、通信装置は、
インターネット・オブ・シングスプラットフォームによって送信された少なくとも１つの時間範囲を受信するよう構成される受信モジュールと、
少なくとも１つの時間範囲に基づいて、端末のサービスタイプに対応し、データが報告可能である時間範囲を決定するよう構成される処理モジュールと
を更に含む。
【００９７】
可能な実施で、送信モジュールは、第２メッセージをインターネット・オブ・シングスプラットフォームへ送信するよう更に構成され、第２メッセージは、端末によって報告されるデータを要求するために使用される情報を含む。
【００９８】
可能な実施で、送信モジュールは、第４メッセージをインターネット・オブ・シングスプラットフォームへ送信するよう更に構成され、第４メッセージは、端末がデータを報告可能である時間範囲が変化することを示すために使用される情報と、データが報告可能である変化した時間範囲とを含む。
【００９９】
可能な実施で、送信モジュールは、第５メッセージをインターネット・オブ・シングスプラットフォームへ送信するよう更に構成され、第５メッセージは、端末のデータ報告時間を変更するよう指示するために使用される情報を含む。
【０１００】
第１１の態様に従って、本願の実施形態は、通信装置を提供する。通信装置は、メモリ及びプロセッサを含む。メモリは、プログラム命令を記憶するよう構成され、プロセッサは、メモリ内のプログラム命令を呼び出して、第９の態様の通信方法を実行するよう構成される。
【０１０１】
可能な設計で、通信装置は、通信インターフェースを更に含み、通信インターフェースは、第９の態様における受信及び送信動作を実行するよう構成される。
【０１０２】
第１０の態様又は第１１の態様の通信装置は、アプリケーションサーバであってよく、あるいは、アプリケーションサーバのために使用され得るコンポーネントであってよい、ことが留意されるべきである。
【０１０３】
第１２の態様に従って、本願の実施形態は、読み出し可能な媒体を提供する。読み出し可能な媒体は、コンピュータプログラムを記憶しており、コンピュータプログラムが実行される場合に、第９の態様における本願の実施形態のいずれか１つに従う通信方法が実施される。
【０１０４】
第１３の態様に従って、本願の実施形態は、通信方法を提供する。方法は、
基地局によって、少なくとも１つのセルの過去の負荷に関する情報をインターネット・オブ・シングスプラットフォームへ送信することを含む。
【０１０５】
可能な実施で、基地局は、インターネット・オブ・シングスプラットフォームによって送信され、少なくとも１つのセルの過去の負荷を要求するために使用される情報を更に受信する。
【０１０６】
第１４の態様に従って、本願の実施形態は、通信装置を提供する。装置は、
少なくとも１つのセルの過去の負荷に関する情報をインターネット・オブ・シングスプラットフォームへ送信するよう構成される送信モジュールを含む。
【０１０７】
可能な実施で、通信装置は、インターネット・オブ・シングスプラットフォームによって送信され、少なくとも１つのセルの過去の負荷を要求するために使用される情報を受信するよう構成される受信モジュールを更に含む。
【０１０８】
第１５の態様に従って、本願の実施形態は、通信装置を提供する。通信装置は、メモリ及びプロセッサを含む。メモリは、プログラム命令を記憶するよう構成され、プロセッサは、メモリ内のプログラム命令を呼び出して、第１３の態様の通信方法を実行するよう構成される。
【０１０９】
可能な設計で、通信装置は、通信インターフェースを更に含み、通信インターフェースは、第１３の態様における受信及び送信動作を実行するよう構成される。
【０１１０】
第１４の態様又は第１５の態様の通信装置は、基地局であってよく、あるいは、基地局のために使用され得るコンポーネントであってよい、ことが留意されるべきである。
【０１１１】
第１６の態様に従って、本願の実施形態は、読み出し可能な媒体を提供する。読み出し可能な媒体は、コンピュータプログラムを記憶しており、コンピュータプログラムが実行される場合に、第１３の態様における本願の実施形態のいずれか１つに従う通信方法が実施される。
【０１１２】
第１７の態様に従って、本願の実施形態は、通信方法を提供する。方法は、
ネットワーク管理デバイスによって、少なくとも１つのセルの過去の負荷に関する情報をインターネット・オブ・シングスプラットフォームへ送信することを含む。
【０１１３】
可能な設計で、ネットワーク管理デバイスは、インターネット・オブ・シングスプラットフォームによって送信され、少なくとも１つのセルの過去の負荷を要求するために使用される情報を更に受信する。
【０１１４】
可能な設計で、ネットワーク管理デバイスは、基地局によって送信される、少なくとも１つのセルの過去の負荷に関する情報を更に受信し、少なくとも１つのセルは、基地局のカバレッジ内のセルである。
【０１１５】
第１８の態様に従って、本願の実施形態は、通信装置を提供する。装置は、
少なくとも１つのセルの過去の負荷に関する情報をインターネット・オブ・シングスプラットフォームへ送信するよう構成される送信モジュールを含む。
【０１１６】
可能な設計で、通信装置は、インターネット・オブ・シングスプラットフォームによって送信され、少なくとも１つのセルの過去の負荷を要求するために使用される情報を受信するよう構成される受信モジュールを更に含む。
【０１１７】
可能な設計で、受信モジュールは、基地局によって送信される、少なくとも１つのセルの過去の負荷に関する情報を受信するよう更に構成され、少なくとも１つのセルは、基地局のカバレッジ内のセルである。
【０１１８】
第１９の態様に従って、本願の実施形態は、通信装置を提供する。通信装置は、メモリ及びプロセッサを含む。メモリは、プログラム命令を記憶するよう構成され、プロセッサは、メモリ内のプログラム命令を呼び出して、第１７の態様の通信方法を実行するよう構成される。
【０１１９】
可能な設計で、通信装置は、通信インターフェースを更に含み、通信インターフェースは、第１７の態様における受信及び送信動作を実行するよう構成される。
【０１２０】
第１８の態様又は第１９の態様の通信装置は、ネットワーク管理デバイスであってよく、あるいは、ネットワーク管理デバイスのために使用され得るコンポーネントであってよい、ことが留意されるべきである。
【０１２１】
第２０の態様に従って、本願の実施形態は、読み出し可能な媒体を提供する。読み出し可能な媒体は、コンピュータプログラムを記憶しており、コンピュータプログラムが実行される場合に、第１７の態様における本願の実施形態のいずれか１つに従う通信方法が実施される。
【０１２２】
第２１の態様に従って、本願の実施形態は、通信方法を提供する。方法は、
ＳＣＥＦによって、少なくとも１つのセルの過去の負荷に関する情報をインターネット・オブ・シングスプラットフォームへ送信することを含む。
【０１２３】
可能な設計で、ＳＣＥＦは、インターネット・オブ・シングスプラットフォームによって送信された第１メッセージを更に受信し、第１メッセージは、過去の負荷を要求するために使用される情報を含む。
【０１２４】
可能な設計で、第１メッセージは、少なくとも１つのセルの識別情報及び／又は基地局の識別情報を更に含み、少なくとも１つのセルは、基地局のカバレッジ内のセルである。
【０１２５】
可能な設計で、ＳＣＥＦによって少なくとも１つのセルの過去の負荷に関する情報をインターネット・オブ・シングスプラットフォームへ送信することは、ＳＣＥＦによって、インターネット・オブ・シングスプラットフォームに対する認証及び検証が成功した後に、少なくとも１つのセルの過去の負荷をインターネット・オブ・シングスプラットフォームへ送信することを含む。
【０１２６】
可能な設計で、ＳＣＥＦは、少なくとも１つのセルの過去の負荷を要求するために使用される情報を基地局へ更に送信し、それから、基地局によって送信される少なくとも１つのセルの過去の負荷を受信する。
【０１２７】
第２２の態様に従って、本願の実施形態は、通信装置を提供する。装置は、
少なくとも１つのセルの過去の負荷に関する情報をインターネット・オブ・シングスプラットフォームへ送信するよう構成される送信モジュールを含む。
【０１２８】
可能な設計で、通信装置は、インターネット・オブ・シングスプラットフォームによって送信された第１メッセージを受信するよう構成される受信モジュールを更に含み、第１メッセージは、過去の負荷を要求するために使用される情報を含む。
【０１２９】
可能な設計で、第１メッセージは、少なくとも１つのセルの識別情報及び／又は基地局の識別情報を更に含み、少なくとも１つのセルは、基地局のカバレッジ内のセルである。
【０１３０】
可能な設計で、通信装置は、インターネット・オブ・シングスプラットフォームに対して認証及び検証を実行するよう構成される処理モジュールを更に含み、
送信モジュールは、特に、処理モジュールがインターネット・オブ・シングスプラットフォームを認証及び検証した後に、少なくとも１つのセルの過去の負荷をインターネット・オブ・シングスプラットフォームへ送信するよう構成される。
【０１３１】
可能な設計で、送信モジュールは、少なくとも１つのセルの過去の負荷を要求するために使用される情報を基地局へ送信するよう更に構成され、受信モジュールは、基地局によって送信される少なくとも１つのセルの過去の負荷を受信するよう更に構成される。
【０１３２】
第２３の態様に従って、本願の実施形態は、通信装置を提供する。通信装置は、メモリ及びプロセッサを含む。メモリは、プログラム命令を記憶するよう構成され、プロセッサは、メモリ内のプログラム命令を呼び出して、第２１の態様の通信方法を実行するよう構成される。
【０１３３】
可能な設計で、通信装置は、通信インターフェースを更に含み、通信インターフェースは、第２１の態様における受信及び送信動作を実行するよう構成される。
【０１３４】
第２２の態様又は第２３の態様の通信装置は、ＳＣＥＦであってよく、あるいは、ＳＣＥＦのために使用され得るコンポーネントであってよい、ことが留意されるべきである。
【０１３５】
第２４の態様に従って、本願の実施形態は、読み出し可能な媒体を提供する。読み出し可能な媒体は、コンピュータプログラムを記憶しており、コンピュータプログラムが実行される場合に、第２１の態様における本願の実施形態のいずれか１つに従う通信方法が実施される。
【０１３６】
要するに、インターネット・オブ・シングスプラットフォームは、サービングセルの過去の負荷に基づいて端末のデータ報告時間を決定し、データ報告時間を端末へ送信し、端末は、インターネット・オブ・シングスプラットフォームから受信されたデータ報告時間に基づいてデータをインターネット・オブ・シングスプラットフォームへ報告する。実施形態において、端末のデータ報告時間は、サービングセルの過去の負荷に基づいて決定される。従って、決定されたデータ報告時間は、例えば、サービングセルの負荷が最も低い時間であることができる。従って、大量の端末が同時に報告を実行することが防ぐことができ、ネットワーク輻輳が回避され、かつ、ネットワーク使用率及びデータ報告の成功率が改善されるように、端末は時差をもってデータを報告し得る。
【図面の簡単な説明】
【０１３７】
【図１】本願の実施形態に従う通信システムの概略図である。
【図２】本願の実施形態に従う通信方法のフローチャートである。
【図３】本願の実施形態に従ってインターネット・オブ・シングスプラットフォームによって少なくとも１つのセルの過去の負荷を取得することの概略図である。
【図４】本願の他の実施形態に従ってインターネット・オブ・シングスプラットフォームによって少なくとも１つのセルの過去の負荷を取得することの概略図である。
【図５】本願の他の実施形態に従ってインターネット・オブ・シングスプラットフォームによって少なくとも１つのセルの過去の負荷を取得することの概略図である。
【図６】本願の他の実施形態に従う通信方法のフローチャートである。
【図７】本願の実施形態に従って、データが報告可能である時間範囲をインターネット・オブ・シングスプラットフォームによって取得することの概略図である。
【図８】本願の他の実施形態に従って、データが報告可能である時間範囲をインターネット・オブ・シングスプラットフォームによって取得することの概略図である。
【図９】本願の実施形態に従って、周期的な報告への適用の概略図である。
【図１０】本願の実施形態に従って、イベントによりトリガされる報告への適用の概略図である。
【図１１】本願の実施形態に従ってインターネット・オブ・シングスプラットフォームによってデータ報告時間を更新することの概略図である。
【図１２】本願の他の実施形態に従ってインターネット・オブ・シングスプラットフォームによってデータ報告時間を更新することの概略図である。
【図１３】本願の他の実施形態に従ってインターネット・オブ・シングスプラットフォームによってデータ報告時間を更新することの概略図である。
【図１４】本願の実施形態に従う通信装置の略構造図である。
【図１５】本願の他の実施形態に従う通信装置の略構造図である。
【図１６】本願の他の実施形態に従う通信装置の略構造図である。
【図１７】本願の他の実施形態に従う通信装置の略構造図である。
【発明を実施するための形態】
【０１３８】
図１は、本願の実施形態に従う通信システムの概略図である。図１に示されるように、端末は、３ＧＰＰネットワークを使用することによってインターネット・オブ・シングスプラットフォームへデータを報告してよく、インターネット・オブ・シングスプラットフォームは、アプリケーションサーバに対して、少なくとも１つの端末によって報告されたデータを伝送してよい。インターネット・オブ・シングスプラットフォーム及びアプリケーションサーバは、インターネットを使用することによって接続されてよい。端末は、例えば、ＬｗＭ２Ｍプロトコルを使用することによって、インターネット・オブ・シングスプラットフォームと通信してよいが、本願のこの実施形態はそれに限られない。
【０１３９】
ＳＣＥＦは、３ＧＰＰネットワークをインターネット・オブ・シングスプラットフォームへ接続するよう構成され、３ＧＰＰネットワークとインターネット・オブ・シングスプラットフォームとの間のインタラクションのためのインターフェースを提供し、３ＧＰＰネットワーク内のいくつかの能力をインターネット・オブ・シングスプラットフォームに公開して、インターネット・オブ・シングスプラットフォームが３ＧＰＰネットワークから端末の位置情報（端末のサービングセルに関する情報などを含む）及びネットワークステータス情報を取得することができるようにする。
【０１４０】
インターネット・オブ・シングスプラットフォームは、端末を管理するよう構成される。そのような端末は、３ＧＰＰネットワークを使用することによってインターネット・オブ・シングスプラットフォームへ接続されてよい。インターネット・オブ・シングスプラットフォームは、端末に対して登録、認証、並びにアップリンク及びダウンリンクメッセージトラフィック管理などを実行してよい。
【０１４１】
図１に示される基地局は、無線アクセスネットワーク（Radio  Access  Network，ＲＡＮ）とも呼ばれ、端末を無線ネットワークへ接続するデバイスである。基地局は、ロング・ターム・エボリューション（ＬＴＥ）におけるエボルブド・ノードＢ（ｅＮＢ又はｅＮｏｄｅＢ）、中継局若しくはアクセスポイント、又は送受信ポイント（ＴＲＰ）若しくはコントローラのような５Ｇにおける基地局であってよい。これは、ここで制限されない。
【０１４２】
図１に示される端末は、無線端末又は有線端末であってよい。無線端末は、無線受信／送信機能を備えたデバイスであってよく、屋内若しくは屋外、手持ち、又は車内を含む地上に配備されてよく、あるいは、水上（例えば、船上）に配備されてよく、あるいは、空中（例えば、飛行機、風船、及び衛星）に配備されてよい。端末デバイスは、携帯電話機、タブレットコンピュータ（Pad）、無線受信／送信機能を備えたコンピュータ、仮想現実（ＶＲ）端末、拡張現実（ＡＲ）端末、産業制御における無線端末、自動運転における無線端末、遠隔医療における無線端末、スマートグリッドにおける無線端末、輸送安全性における無線端末、スマートシティにおける無線端末、スマートホームにおける無線端末、などであってよい。これは、ここで制限されない。
【０１４３】
図２は、本願の実施形態に従う通信方法のフローチャートである。図２に示されるように、この実施形態における方法は、次のステップを含んでよい。
【０１４４】
Ｓ２０１．インターネット・オブ・シングスプラットフォームは、端末のサービングセルの過去の負荷を取得する。
【０１４５】
この実施形態で、インターネット・オブ・シングスプラットフォームは、端末のサービングセルの過去の負荷を取得してよい。サービングセルの過去の負荷は、現在の時間より前の期間における過去の負荷であってよい。期間のサイズは、例えば、前もってセットされてよい。例えば、現在の時間より前の期間における毎分の過去の負荷が、取得されてよい。端末のサービングセルは、端末が位置しているサービングセル、又は端末が属しているサービングセルである。
【０１４６】
Ｓ２０２．インターネット・オブ・シングスプラットフォームは、サービングセルの過去の負荷に基づいて端末のデータ報告時間を決定する。
【０１４７】
この実施形態で、端末のサービングセルの過去の負荷を取得した後、インターネット・オブ・シングスプラットフォームは、サービングセルの過去の負荷に基づいて端末のデータ報告時間を決定する。いくつかの実施形態において、インターネット・オブ・シングスプラットフォームは、サービングセルの過去の負荷に基づいて、サービングセルの負荷が比較的に小さい時間が端末のデータ報告時間であると決定する。例えば、インターネット・オブ・シングスプラットフォームは、サービングセルの負荷が最も低い時間が端末のデータ報告時間であると決定してよい。
【０１４８】
Ｓ２０３．インターネット・オブ・シングスプラットフォームは、データ報告時間を端末で送信する。
【０１４９】
この実施形態で、インターネット・オブ・シングスプラットフォームは、Ｓ２０２で決定される端末のデータ報告時間を端末へ送信する。
【０１５０】
Ｓ２０４．インターネット・オブ・シングスプラットフォームによって送信されたデータ報告時間を受信した後、端末は、データ報告時間に基づいてインターネット・オブ・シングスプラットフォームへデータを報告する。
【０１５１】
この実施形態で、端末は、インターネット・オブ・シングスプラットフォームによって送信されたデータ報告時間を受信し、それから、データ報告時間に基づいてインターネット・オブ・シングスプラットフォームへデータを報告する。例えば、端末は、データ報告時間が到来すると、データをインターネット・オブ・シングスプラットフォームへ報告する。
【０１５２】
この実施形態で、インターネット・オブ・シングスプラットフォームは、サービングセルの過去の負荷に基づいて端末のデータ報告時間を決定し、データ報告時間を端末へ送信し、端末は、インターネット・オブ・シングスプラットフォームから受信されたデータ報告時間に基づいてインターネット・オブ・シングスプラットフォームへデータを報告する。この実施形態で、端末のデータ報告時間は、サービングセルの過去の負荷に基づいて決定される。従って、決定されたデータ報告時間は、例えば、サービングセルの負荷が最も低い時間であることができる。従って、大量の端末が同時に報告を実行することが防ぐことができ、ネットワーク輻輳が回避され、かつ、ネットワーク使用率及びデータ報告の成功率が改善されるように、端末は時差をもってデータを報告し得る。
【０１５３】
いくつかの実施形態において、Ｓ２０２の可能な実施は：インターネット・オブ・シングスプラットフォームが、サービングセルの過去の負荷に基づいて、現在の時間から前もってセットされた期間内のサービングセルの予測される負荷を決定し、それから、現在の時間から前もってセットされた期間内のサービングセルの予測される負荷に基づいて、端末のデータ報告時間を決定する、ことを含む。この実施形態で、サービングセルの過去の負荷を取得した後、インターネット・オブ・シングスプラットフォームは、サービングセルの過去の負荷に基づいて、現在の時間から前もってセットされた期間内のサービングセルの予測される負荷を決定する。例えば、現在の時間から２日以内の毎分のサービングセルの予測される負荷が、決定されてよい。次いで、インターネット・オブ・シングスプラットフォームは、取得された予測される負荷に基づいて、端末のデータ報告時間を決定する。例えば、データ報告時間は、予測される負荷が最も低い時間であることができる。
【０１５４】
いくつかの実施形態において、インターネット・オブ・シングスプラットフォームによってサービングセルの過去の負荷を取得することの可能な実施は：プラットフォームが、端末のサービングセルを含む少なくとも１つのセルの過去の負荷を取得し、それから、インターネット・オブ・シングスプラットフォームが、端末のサービングセルに基づいて、少なくとも１つのセルの過去の負荷から、サービングセルの過去の負荷を取得する、ことを含む。任意に、インターネット・オブ・シングスプラットフォームは、端末によって送信される、端末のサービングセルに関する情報を更に受信してもよく、それにより、インターネット・オブ・シングスプラットフォームは、端末のサービングセルを決定し得る。
【０１５５】
以下は、インターネット・オブ・シングスプラットフォームが少なくとも１つのセルの過去の負荷を取得する実施について記載するが、この実施形態はそれに限られない。
【０１５６】
可能な実施で、インターネット・オブ・シングスプラットフォームは、ネットワーク管理デバイスから少なくとも１つのセルの過去の負荷を取得する。例えば、図３に示されるように、インターネット・オブ・シングスプラットフォームとネットワーク管理デバイスとの間に、インターフェースが新たに加えられる。インターネット・オブ・シングスプラットフォームは、新たに加えられたインターフェースを使用することによってネットワーク管理デバイスに対して、少なくとも１つのセルの過去の負荷を要求するために使用される情報を送信してよい（例えば、インターネット・オブ・シングスプラットフォームは、ネットワーク管理デバイスによって管理される各セルの過去の負荷を要求してよく、あるいは、少なくとも１つの特定のセルの過去の負荷に関する情報を要求してよく、あるいは、特定の基地局によってカバーされている隠せるの過去の負荷に関する情報を要求してよい）。その上、基地局は、基地局のカバレッジ内の各セルの過去の負荷を周期的にネットワーク管理デバイスに報告してもよい。従って、ネットワーク管理デバイスが、インターネット・オブ・シングスプラットフォームによって送信され、少なくとも１つのセルの過去の負荷を要求するために使用される情報を受信した後、ネットワーク管理デバイスは、新たに加えられたインターフェースを使用することによってインターネット・オブ・シングスプラットフォームに対して、基地局から受信される少なくとも１つのセルの過去の負荷を送信する。
【０１５７】
他の可能な実施では、インターネット・オブ・シングスプラットフォームは、基地局から少なくとも１つのセルの過去の負荷を取得し、少なくとも１つのセルは、基地局のカバレッジ内のセルである。例えば、図４に示されるように、インターネット・オブ・シングスプラットフォームと基地局との間に、インターフェースが新たに加えられる。インターネット・オブ・シングスプラットフォームは、新たに加えられたインターフェースを使用することによって基地局に対して、少なくとも１つのセルの過去の負荷を要求するために使用される情報を送信してよい（例えば、インターネット・オブ・シングスプラットフォームは、基地局のカバレッジ内の各セルの過去の負荷を要求してよく、あるいは、基地局のカバレッジ内の少なくとも１つの特定のセルの過去の負荷を要求してよい）。次いで、基地局は、基地局のカバレッジ内の各セル（又は少なくとも１つの特定のセル）の過去の負荷を、新たに加えられたインターフェースを使用することによってインターネット・オブ・シングスプラットフォームへ報告する。
【０１５８】
他の可能な実施で、インターネット・オブ・シングスプラットフォームがＳＣＥＦから少なくとも１つのセルの過去の負荷を取得することは：インターネット・オブ・シングスプラットフォームが第１メッセージをＳＣＥＦへ送信し、第１メッセージは、過去の負荷を要求するために使用される情報、少なくとも１つのセルの識別情報、及び／又は基地局の識別情報を含み、言い換えると、第１メッセージは、過去の負荷を要求するために使用される情報と、少なくとも１つのセルの識別情報とを含むか、あるいは、第１メッセージは、過去の負荷を要求するために使用される情報と、基地局の識別情報とを含むか、あるいは、第１メッセージは、過去の負荷を要求するために使用される情報と、少なくとも１つのセルの識別情報と、基地局の識別情報とを含み、基地局は、端末のサービング基地局であり、少なくとも１つのセルは、基地局のカバレッジ内のセルであり、次いで、ＳＣＥＦは、少なくとも１つのセルの過去の負荷をインターネット・オブ・シングスプラットフォームへ送信する、ことであってよい。任意に、過去の負荷を要求するために使用される情報は、第１メッセージ内のメッセージタイプであってよい。この実施形態で、第１メッセージは、第１メッセージのサイズを減らすために、メッセージタイプを使用することによって過去の負荷を要求してよい。
【０１５９】
例えば、図５に示されるように、インターネット・オブ・シングスプラットフォームとＳＣＥＦとの間には、インターフェースが新たに加えられる。インターネット・オブ・シングスプラットフォームは、新たに加えられたインターフェースを使用することによってＳＣＥＦへ第１メッセージを送信してよい。第１メッセージは、過去の負荷を要求するために使用される情報を含む。その上、第１メッセージは、基地局の識別情報（特定の基地局のカバレッジ内のセルの過去の負荷を示すために使用される）及び／又は少なくとも１つのセルの識別情報（少なくとも１つの特定のセルの過去の負荷を要求するために使用される）を含んでもよい。任意に、第１メッセージは、負荷報告周期に関する情報を更に含んでもよい（過去の負荷が周期的に報告される場合に、情報は含まれる必要がある）。第１メッセージを受信した後、ＳＣＥＦは、プラットフォームが過去の負荷を要求する権利を有しているかどうかを確認するために認証及び検証を実行する。プラットフォームが過去の負荷を要求する権利を有していることが確認される場合に、ＳＣＥＦは、負荷要求メッセージをＭＭＥへ送信する。負荷要求メッセージは、基地局の識別情報及び／又は少なくとも１つのセルの識別情報を含む。任意に、負荷要求メッセージは、負荷報告周期に関する情報を更に含んでもよい。次いで、ＭＭＥは、負荷要求メッセージを基地局へ送信する。ＭＭＥによって送信された負荷要求メッセージを受信した後、基地局は、基地局の各セルの過去の負荷又は少なくとも１つのセルの過去の負荷をＭＭＥへ送信してよく、あるいは、基地局は、負荷報告周期に基づいてＭＭＥへ過去の負荷を送信する。具体的に、基地局は、セルの識別情報、セルの過去の負荷、過去の負荷の統計量収集時間、基地局の識別情報、などをＭＭＥへ送信してよい。次いで、ＭＭＥは、セルの識別情報、セルの過去の負荷、過去の負荷の統計量収集時間、基地局の識別情報、などをＳＣＥＦへ転送し、ＳＣＥＦは、セルの識別情報、セルの過去の負荷、過去の負荷の統計量収集時間、基地局の識別情報、などをインターネット・オブ・シングスプラットフォームへ転送する。
【０１６０】
任意に、基地局、ネットワーク管理デバイス、又はＳＣＥＦからインターネット・オブ・シングスプラットフォームによって取得される過去の負荷は、現在の時間から前もってセットされた期間内の過去の負荷である。期間のサイズは、インターネット・オブ・シングスプラットフォームによって基地局、ネットワーク管理デバイス、又はＳＣＥＦに示されてよい。
【０１６１】
図６は、本願の他の実施形態に従う通信方法のフローチャートである。図６に示されるように、この実施形態における方法は、次のステップを含む。
【０１６２】
Ｓ６０１．インターネット・オブ・シングスプラットフォームは、端末のサービングセルの過去の負荷を取得する。
【０１６３】
この実施形態で、Ｓ６０１の特定の実施プロセスについては、図２に示される実施形態の説明を参照されたい。詳細は、ここでは再び記載されない。
【０１６４】
Ｓ６０２．インターネット・オブ・シングスプラットフォームは、端末がデータを報告可能である時間範囲を取得する。
【０１６５】
この実施形態で、インターネット・オブ・シングスプラットフォームは、端末がデータを報告可能である時間範囲を更に取得する。データが報告可能である時間範囲は、端末がインターネット・オブ・シングスプラットフォームへデータを報告することができる時間範囲であり、端末がこの時間範囲内でデータを報告することを示す。例えば、第１時間は９時から１１時である。
【０１６６】
Ｓ６０１及びＳ６０２の実行順序は、制限されない。
【０１６７】
Ｓ６０３．インターネット・オブ・シングスプラットフォームは、サービングセルの過去の負荷と、端末がデータを報告可能である時間範囲とに基づいて、端末のデータ報告時間を決定する。
【０１６８】
この実施形態で、端末のサービングセルの過去の負荷と、端末がデータを報告可能である時間範囲とを取得した後、インターネット・オブ・シングスプラットフォームは、サービングセルの過去の負荷と、端末がデータを報告可能である時間範囲とに基づいて、端末のデータ報告時間を決定する。いくつかの実施形態において、インターネット・オブ・シングスプラットフォームは、サービングセルの過去の負荷に基づいて、データが報告可能である時間範囲からデータ報告時間を決定する。例えば、サービングセルの負荷が最も低い時間が、データが報告可能である時間範囲からデータ報告時間として決定され、データ報告時間は、例えば、データが報告可能である時間範囲内のある時点であるか、あるいは、端末のデータ報告時間は、例えば、データが報告可能である時間範囲内の部分的な時間である。
【０１６９】
いくつかの実施形態において、インターネット・オブ・シングスプラットフォームは、サービングセルの過去の負荷に基づいて、現在の時間から前もってセットされた期間内のサービングセルの予測される負荷を決定し、次いで、現在の時間から前もってセットされた期間内のサービングセルの予測される負荷と、データが報告可能である時間範囲とに基づいて、端末のデータ報告時間を決定する。
【０１７０】
Ｓ６０４．インターネット・オブ・シングスプラットフォームは、データ報告時間を端末へ送信する。
【０１７１】
Ｓ６０５．インターネット・オブ・シングスプラットフォームによって送信されたデータ報告時間を受信した後、端末は、データ報告時間に基づいてインターネット・オブ・シングスプラットフォームへデータを報告する。
【０１７２】
この実施形態で、Ｓ６０４及びＳ６０５の具体的な実施プロセスについては、図２に示される実施形態の説明を参照されたい。詳細は、ここで再び記載されない。
【０１７３】
この実施形態で、インターネット・オブ・シングスプラットフォームは、サービングセルの過去の負荷と、端末がデータを報告可能である時間範囲とに基づいて、端末のデータ報告時間を決定し、端末のデータ報告時間を端末へ送信し、端末は、インターネット・オブ・シングスプラットフォームから受信されたデータ報告時間に基づいて、インターネット・オブ・シングスプラットフォームへデータを報告する。この実施形態で、端末のデータ報告時間は、サービングセルの過去の負荷と、端末がデータを報告可能である時間範囲とに基づいて、決定される。従って、決定されたデータ報告時間は、例えば、データが報告可能である時間範囲の中でサービングセルの負荷が最も軽い時間であることができる。従って、大量の端末が同時に報告を実行することを防ぐことができ、ネットワーク輻輳が回避され、かつ、ネットワーク使用率及びデータ報告の成功率が改善されるように、端末は時差でデータを報告することができる。
【０１７４】
以下は、インターネット・オブ・シングスプラットフォームが、Ｓ６０２で、端末がデータを報告可能である時間範囲を取得するところの実施について記載するが、この実施形態はそれに限られない。
【０１７５】
可能な実施で、インターネット・オブ・シングスプラットフォームは、端末によって送信される、端末がデータを報告可能である時間範囲を受信する。端末は、インターネット・オブ・シングスプラットフォームに対して、端末がデータを報告可能である時間範囲を能動的に送信してよい。例えば、図７に示されるように、インターネット・オブ・シングスプラットフォームに登録するときに、又はインターネット・オブ・シングスプラットフォームに登録した後、端末は、他のメッセージを使用することによってインターネット・オブ・シングスプラットフォームに対して、端末がデータを報告可能である時間範囲を送信する。図７では、インターネット・オブ・シングスプラットフォームに登録した後に、端末は、インターネット・オブ・シングスプラットフォームに対して、端末がデータを報告可能である時間範囲を能動的に送信する、ことが留意されるべきである。他の例では、端末はまた、データが報告可能である時間範囲を登録メッセージに付加し、登録メッセージをインターネット・オブ・シングスプラットフォームへ送信してもよい。代替的に、インターネット・オブ・シングスプラットフォームが最初に、端末がデータを報告可能である時間範囲を端末から取得することを要求してもよく、それから、端末は、インターネット・オブ・シングスプラットフォームに対して、端末がデータを報告可能である時間範囲を送信する。例えば、端末がインターネット・オブ・シングスプラットフォームに登録した後に、インターネット・オブ・シングスプラットフォームは第１情報を端末へ送信し、第１情報は、端末がデータを報告可能である時間範囲を要求するために使用され、第１情報を受信した後に、端末は、インターネット・オブ・シングスプラットフォームに対して、端末がデータを報告可能である時間範囲を送信する。
【０１７６】
他の可能な実施では、インターネット・オブ・シングスプラットフォームがアプリケーションサーバによって送信される、端末がデータを報告可能である時間範囲を受信することは、具体的に：インターネット・オブ・シングスプラットフォームが、アプリケーションサーバによって送信され、端末のサービスタイプに対応する、データが報告可能である時間範囲を受信することであってよく、このとき、端末のサービスタイプに対応する、データが報告可能である時間範囲は、端末がデータを報告可能である時間範囲である。例えば、インターネット・オブ・シングスプラットフォームは、アプリケーションサーバによって送信され、第１サービスタイプに対応する、データが報告可能である時間範囲を受信し、そして、インターネット・オブ・シングスプラットフォームは、端末のサービスタイプが第１サービスタイプであるという事実に基づいて、第１サービスタイプに対応する、データが報告可能である時間範囲が、端末がデータを報告可能である時間範囲であると決定する。
【０１７７】
任意に、アプリケーションサーバは、第２情報をインターネット・オブ・シングスプラットフォームへ更に送信してよく、第２情報は、アプリケーションサーバによって供給されるサービスタイプを示すために使用され、端末のサービスタイプは、アプリケーションサーバによって供給されるサービスタイプと同じである。第２情報は、アプリケーションサーバによって供給されるサービスタイプを示すので、インターネット・オブ・シングスプラットフォームは、アプリケーションサーバによって受信される、データが報告可能である時間範囲が、端末がデータを報告可能である時間範囲であると決定し得る。いくつかの解決法で、アプリケーションサーバは、同じメッセージを使用することによってインターネット・オブ・シングスプラットフォームに対して、第２情報と、端末のサービスタイプに対応する、データが報告可能である時間範囲とを送信してよく、あるいは、異なるメッセージを使用することによってインターネット・オブ・シングスプラットフォームに対して、第２情報と、端末のサービスタイプに対応する、データが報告可能である時間範囲とを送信してよい。
【０１７８】
任意に、アプリケーションサーバが、インターネット・オブ・シングスプラットフォームに対して、端末のサービスタイプに対応する、データが報告可能である時間範囲を送信する前に、アプリケーションサーバは、第２情報をインターネット・オブ・シングスプラットフォームへ更に送信してよく、第２情報は、アプリケーションサーバによって供給されるサービスタイプを示すために使用され、端末のサービスタイプは、アプリケーションサーバによって供給されるサービスタイプと同じである。第２情報を受信した後、インターネット・オブ・シングスプラットフォームは、アプリケーションサーバによって供給されるサービスタイプと、少なくとも１つのセルの過去の負荷とに基づいて、少なくとも１つの時間範囲を決定し、少なくとも１つの時間範囲は、例えば、負荷が前もってセットされた負荷よりも小さい時間範囲であってよい。次いで、インターネット・オブ・シングスプラットフォームは、決定された少なくとも１つの時間範囲をアプリケーションサーバへ送信する。例えば、図８に示されるように、少なくとも１つの時間範囲を受信した後、アプリケーションサーバは、少なくとも１つの時間範囲から、端末のサービスタイプに対応する、データが報告可能である時間範囲を決定し、時間範囲をインターネット・オブ・シングスプラットフォームへ送信する。
【０１７９】
上記のサービスタイプは、サービスが属する産業、例えば、メータなどの定期的な報告、街灯の定期的な登録、シェアリングされる自転車の定期的なデータ報告、スマートホーム家電の定期的なデータ報告、又はスマートホーム家電のイベント報告を示す。
【０１８０】
上記の実施形態に基づいて、任意に、端末は、端末のサービングセルに関する情報をインターネット・オブ・シングスプラットフォームへ更に送信する。相応して、インターネット・オブ・シングスプラットフォームは、端末のサービングセルに関する情報を受信する。端末は、端末のサービングセルに関する情報をインターネット・オブ・シングスプラットフォームへ能動的に送信してよい。例えば、端末は、インターネット・オブ・シングスプラットフォームに登録するときに、端末のサービングセルに関する情報をインターネット・オブ・シングスプラットフォームへ送信する。代替的に、インターネット・オブ・シングスプラットフォームが最初に、端末のサービングセルに関する情報を端末から取得することを要求してよく、それから、端末は、端末のサービングセルに関する情報をインターネット・オブ・シングスプラットフォームへ送信する。例えば、端末がインターネット・オブ・シングスプラットフォームに登録した後に、インターネット・オブ・シングスプラットフォームは、端末のサービングセルを取得するよう要求するために使用される情報を端末へ送信し、そして、端末のサービングセルを取得するよう要求するために使用される情報を受信した後に、端末は、端末のサービングセルに関する情報をインターネット・オブ・シングスプラットフォームへ送信する。任意に、端末は、同じメッセージを使用することによってインターネット・オブ・シングスプラットフォームに対して、端末のサービングセルに関する情報と、端末がデータを報告可能である時間範囲とを送信してよい。任意に、インターネット・オブ・シングスプラットフォームは、同じメッセージを使用することによって、端末のサービングセルに関する情報と、端末がデータを報告可能である時間範囲とを端末から取得するよう要求してよい。
【０１８１】
上記の実施形態に基づいて、任意に、端末は、端末の報告タイプをインターネット・オブ・シングスプラットフォームへ更に送信し、報告タイプは、端末のデータ報告タイプが周期的な報告又はイベントによりトリガされる報告であることを示すために使用される。相応して、インターネット・オブ・シングスプラットフォームは、端末の報告タイプを受信する。端末は、端末の報告タイプをインターネット・オブ・シングスプラットフォームへ能動的に送信してよい。例えば、端末は、インターネット・オブ・シングスプラットフォームに登録するときに、端末の報告タイプをインターネット・オブ・シングスプラットフォームへ送信する。代替的に、インターネット・オブ・シングスプラットフォームが最初に、端末の報告タイプを端末から取得することを要求してよく、それから、端末は、端末の報告タイプをインターネット・オブ・シングスプラットフォームへ送信する。例えば、端末がインターネット・オブ・シングスプラットフォームに登録した後に、インターネット・オブ・シングスプラットフォームは、端末の報告タイプを取得するよう要求するために使用される情報を端末へ送信し、そして、端末の報告タイプを取得するよう要求するために使用される情報を受信した後に、端末は、端末の報告タイプに関する情報をインターネット・オブ・シングスプラットフォームへ送信する。
【０１８２】
端末がデータを報告可能である時間範囲、端末のサービングセルに関する情報、及び端末の報告タイプのうちの少なくとも２つは、同じメッセージに含まれてよく、そして、端末によってインターネット・オブ・シングスプラットフォームへ送信されるか、あるいは、異なるメッセージに別々に含まれてもよく、そして、端末によってインターネット・オブ・シングスプラットフォームへ送信される。
【０１８３】
いくつかの実施形態において、端末は、端末のサービングセル及び端末の報告タイプに関する情報をインターネット・オブ・シングスプラットフォームへ登録中に送信してよく、情報は、例えば、スケジュールオブジェクトに含まれてよい。端末が登録を完了した後、インターネット・オブ・シングスプラットフォームは、端末のサービングセル及び端末の報告タイプを端末に要求し、それから、端末は、端末のサービングセル及び端末の報告タイプに関する情報をインターネット・オブ・シングスプラットフォームへ送信する。
【０１８４】
端末の報告タイプが周期的な報告であり、周期的な報告が、制限なしに：ガスメータ又は水道メータのような端末が１日に一度読み取ったデータを報告する場合に、全ての街灯が例えば午後６時に点灯し、全ての街灯が点灯した後にデバイスの登録がトリガされることを含むならば、例えば、図９に示されるように、インターネット・オブ・シングスプラットフォームは、上記の方法で端末のデータ報告時間を決定し、データ報告時間を端末へ送信する。
【０１８５】
端末の報告タイプがイベントによりトリガされる報告である場合に、例えば、クライアントが端末のバッチのデータを読み出す必要があるとき、読み出しコマンドが前もって配信され、そして、読み出しコマンドは、端末にデータを報告するきっかけを与える。この場合に、インターネット・オブ・シングスプラットフォームは、端末のデータ報告時間を最初に決定せず、その場合に、イベントトリガを待った後でデータ報告時間を決定する。例えば、インターネット・オブ・シングスプラットフォームが、アプリケーションサーバによって送信された第２メッセージを受信する場合に、第２メッセージが、端末によって報告されるデータを要求するために使用される情報を含むならば、それは、イベントトリガが起きていることを示し、その場合に、端末のデータ報告時間が決定され得る。任意に、第２メッセージは、セルの識別情報又はグループの識別情報を更に含んでよい。第２メッセージがセルの識別情報を含む場合に、それは、第２メッセージがセル内の端末のデータを報告するようサービングセルに要求していることを示す。第２メッセージがグループの識別情報を含む場合に、それは、第２メッセージがグループ内の端末によって報告されるデータを要求していることを示す。いくつかの実施形態において、端末がインターネット・オブ・シングスプラットフォームへ接続されることを検出した後、インターネット・オブ・シングスプラットフォームは、上記の実施形態で記載された方法で端末のデータ報告時間を決定し、データ報告時間を端末へ送信する。例えば、インターネット・オブ・シングスプラットフォームは、データ報告時間を応答メッセージに付加し、応答メッセージを端末へ送信してよい。端末がインターネット・オブ・シングスプラットフォームへ接続されることをインターネット・オブ・シングスプラットフォームが検出することは：例えば、図１０に示されるように、インターネット・オブ・シングスプラットフォームが端末によって報告されたデータを受信する場合に、インターネット・オブ・シングスプラットフォームが、端末がインターネット・オブ・シングスプラットフォームへ接続されることを検出することであってよい。
【０１８６】
いくつかの実施形態において、端末は、報告回数をインターネット・オブ・シングスプラットフォームへ更に送信し、報告回数はＮであってよく、Ｎは１に等しくてよく、又は１よりも大きい整数であってよい。報告回数は、端末のサービングセルに関する上記の情報及び端末の上記の報告期間とともに同じメッセージに含まれ（例えば、スケジュールオブジェクトに含まれ）てよく、端末によってインターネット・オブ・シングスプラットフォームへ送信されてよく、又は端末によって異なるメッセージを使用することによってインターネット・オブ・シングスプラットフォームへ送信されてよい。任意に、インターネット・オブ・シングスプラットフォームは、端末に対して、報告回数を要求するために使用される情報を更に送信し、それから、端末は、報告回数をインターネット・オブ・シングスプラットフォームへ送信する。報告回数がＮ（Ｎは１よりも大きい）である場合に、この実施形態でインターネット・オブ・シングスプラットフォームによって決定され得る端末のＮ個のデータ報告時間が存在し得る。任意に、ＭがＮ以下であるとして、端末がデータを報告可能である１又はＭ個の時間範囲があってもよい。これは、この実施形態において制限されない。
【０１８７】
いくつかの実施形態において、インターネット・オブ・シングスプラットフォームは、端末のデータ報告時間を更新（又は変更）してよい。
【０１８８】
可能な実施で、端末のサービングセルの変化は、インターネット・オブ・シングスプラットフォームに端末のデータ報告時間を更新するきっかけを与える。例えば、図１１に示されるように、端末のサービングセルが変化した後、端末は、第３メッセージをインターネット・オブ・シングスプラットフォームへ送信し、第３メッセージは、端末のサービングセルが変化することを示すために使用される情報と、変化したサービングセルに関する情報とを含む。次いで、インターネット・オブ・シングスプラットフォームは、変化したサービングセルの過去の負荷を取得し、変化したサービングセルの過去の負荷に基づいて新しいデータ報告時間を決定し、それから、新しいデータ報告時間を端末へ送信する。次いで、端末は、新しいデータ報告時間に基づいてデータをインターネット・オブ・シングスプラットフォームへ報告する。
【０１８９】
他の可能な実施では、端末がデータを報告可能である時間範囲の変化が、インターネット・オブ・シングスプラットフォームに端末のデータ報告時間を更新するきっかけを与える。例えば、図１２に示されるように、端末がデータを報告可能である時間範囲が変化した後、アプリケーションサーバ又は端末（図１２では例としてアプリケーションサーバが示されている点が留意されるべきである）は、第４メッセージをインターネット・オブ・シングスプラットフォームへ送信し、第４メッセージは、端末がデータを報告可能である時間範囲が変化することを示すために使用される情報と、データが報告可能である変化した時間範囲とを含む。次いで、インターネット・オブ・シングスプラットフォームは、サービングセルの過去の負荷（時間が経過するにつれて、サービングセルの目下取得されている過去の負荷は、Ｓ２０１で取得されたサービングセルの過去の負荷とは異なることになる点が留意されるべきである）を取得し、サービングセルの過去の負荷と、データが報告可能である変化した時間範囲とに基づいて、新しいデータ報告時間を決定し、それから、新しいデータ報告時間を端末へ送信する。次いで、端末は、新しいデータ報告時間に基づいてデータをインターネット・オブ・シングスプラットフォームへ報告する。
【０１９０】
他の可能な実施では、アプリケーションサーバ又は端末は、端末のデータ報告時間を更新するようインターネット・オブ・シングスプラットフォームに能動的に要求してよい。例えば、図１３に示されるように、アプリケーションサーバ又は端末（図１３では例としてアプリケーションサーバが示されている点が留意されるべきである）は、第５メッセージをインターネット・オブ・シングスプラットフォームへ送信し、第５メッセージは、端末のデータ報告時間を変更するよう指示するために使用される情報を含む。次いで、インターネット・オブ・シングスプラットフォームは、サービングセルの過去の負荷を取得（時間が経過するにつれて、サービングセルの目下取得されている過去の負荷は、Ｓ２０１で取得されたサービングセルの過去の負荷とは異なることになる点が留意されるべきである）し、サービングセルの過去の負荷と、データが報告可能である変化した時間範囲とに基づいて、新しいデータ報告時間を決定し、それから、新しいデータ報告時間を端末へ送信する。次いで、端末は、新しいデータ報告時間に基づいてデータをインターネット・オブ・シングスプラットフォームへ報告する。
【０１９１】
いくつかの実施形態において、上記の実施形態における解決法を実行する前に、インターネット・オブ・シングスプラットフォームは、インターネット・オブ・シングスプラットフォームによってセットされるデータ報告時間に実行されるデータ報告を端末がサポートすることを決定する。この実施形態で、インターネット・オブ・シングスプラットフォームは、インターネット・オブ・シングスプラットフォームによってセットされるデータ報告時間に実行されるデータ報告を端末がサポートすると決定した後にのみ、上記の実施形態のうちのいずれか１つにおける解決法を実行する。インターネット・オブ・シングスプラットフォームによってセットされるデータ報告時間に実行されないデータ報告を端末がサポートするとインターネット・オブ・シングスプラットフォームが決定する場合に、インターネット・オブ・シングスプラットフォームは、上記の実施形態のうちのいずれか１つにおける解決法を実行しない。
【０１９２】
任意に、端末は、第３情報をインターネット・オブ・シングスプラットフォームへ更に送信し、第３情報は、インターネット・オブ・シングスプラットフォームによってセットされるデータ報告時間に端末がデータを報告することができることを示すために使用される。第３情報を受信した後、インターネット・オブ・シングスプラットフォームは、第３情報に基づいて、インターネット・オブ・シングスプラットフォームによってセットされるデータ報告時間に実行されるデータ報告を端末がサポートすると決定し、それから、インターネット・オブ・シングスプラットフォームは、上記の実施形態における解決法を実行する。いくつかの実施形態において、第３情報は、例えば、スケジュールオブジェクトである。従って、この実施形態におけるインターネット・オブ・シングスプラットフォームが、端末によって送信されたスケジュールオブジェクトを受信する場合に、端末は、インターネット・オブ・シングスプラットフォームによってセットされるデータ報告時間に実行されるデータ報告をサポートする、と決定され得る。
【０１９３】
いくつかの実施形態において、上記の実施形態におけるデータ報告時間フィールド、報告周期フィールド、報告数フィールド、データが報告可能である時間範囲のフィールド、報告数フィールド、及び報告タイプフィールドは、スケジュールオブジェクトを使用することによって運ばれてよい。例えば、スケジュールオブジェクトは、次の表１に示される内容を含む。
【表１】
2021516908.tif 000003
【０１９４】
図１４は、本願の実施形態に従う通信デバイスの略構造図である。図１４に示されるように、通信装置は、インターネット・オブ・シングスプラットフォームであってよく、インターネット・オブ・シングスプラットフォームのコンポーネント（例えば、集積回路又はチップ）であってよく、あるいは、他のモジュールであってよく、上記の方法の実施形態のうちのいずれか１つにおけるインターネット・オブ・シングスプラットフォームに対応する動作を実装するよう構成される。この実施形態における通信装置１４００は、受信モジュール１４０１、処理モジュール１４０２、及び送信モジュール１４０３を含んでよい。
【０１９５】
受信モジュール１４０１は、端末のサービングセルの過去の負荷を取得するよう構成される。
【０１９６】
処理モジュール１４０２は、サービングセルの過去の負荷に基づいて端末のデータ報告時間を決定するよう構成される。
【０１９７】
送信モジュール１４０３は、データ報告時間を端末へ送信するよう構成される。
【０１９８】
いくつかの実施形態において、処理モジュール１４０２は、具体的に、
サービングセルの過去の負荷に基づいて、現在の時間から前もってセットされた期間内のサービングセルの予測される負荷を決定し、
現在の時間から前もってセットされた期間内のサービングセルの予測される負荷に基づいて端末のデータ報告時間を決定する
よう構成される。
【０１９９】
いくつかの実施形態において、受信モジュール１４０１は、具体的に、
端末の前記サービングセルを含む少なくとも１つのセルの過去の負荷を取得し、
端末のサービングセルに基づいて少なくとも１つのセルの過去の負荷からサービングセルの過去の負荷を取得する
よう構成される。
【０２００】
いくつかの実施形態において、受信モジュール１４０１は、具体的に、ネットワーク管理デバイスから少なくとも１つのセルの過去の負荷を取得するよう構成される。
【０２０１】
いくつかの実施形態において、受信モジュール１４０１は、具体的に、基地局から少なくとも１つのセルの過去の負荷を取得するよう構成され、基地局は、端末のサービング基地局であり、少なくとも１つのセルは、基地局のカバレッジ内のセルである。
【０２０２】
いくつかの実施形態において、受信モジュール１４０１は、具体的に、ＳＣＥＦから少なくとも１つのセルの過去の負荷を取得するよう構成される。
【０２０３】
いくつかの実施形態において、送信モジュール１４０３は、受信モジュールがＳＣＥＦによって送信される少なくとも１つのセルの識別情報を受信する前に、第１メッセージをＳＣＥＥＦへ送信するよう更に構成され、第１メッセージは、過去の負荷を要求するために使用される情報、少なくとも１つのセルの識別情報、及び／又は基地局の識別情報を含み、
基地局は、端末のサービング基地局であり、少なくとも１つのセルは、前記基地局のカバレッジ内のセルである。
【０２０４】
いくつかの実施形態において、受信モジュール１４０１は、端末がデータを報告可能である時間範囲を取得するよう更に構成される。
【０２０５】
処理モジュール１４０２は、具体的に、サービングセルの過去の負荷と、データが報告可能である時間範囲とに基づいて、端末のデータ報告時間を決定するよう構成される。
【０２０６】
いくつかの実施形態において、受信モジュール１４０１は、具体的に、端末によって送信される、データが報告可能である時間範囲を受信するよう構成される。
【０２０７】
いくつかの実施形態において、送信モジュール１４０３は、データが報告可能である時間範囲を要求するために使用される第１情報を端末へ送信するよう更に構成される。
【０２０８】
いくつかの実施形態において、受信モジュール１４０１は、具体的に、端末のサービスタイプに対応し、アプリケーションサーバによって送信される時間範囲であって、データが報告可能である該時間範囲を受信し、端末がデータを報告可能である時間範囲として、端末のサービスタイプに対応し、データが報告である時間範囲を決定するよう構成される。
【０２０９】
いくつかの実施形態において、受信モジュール１４０１は、アプリケーションサーバによって送信された第１情報を受信するよう更に構成され、第１情報は、アプリケーションサーバによって供給されるサービスタイプを示すために使用され、アプリケーションサーバによって供給されるサービスタイプは、端末のサービスタイプと同じである。
【０２１０】
処理モジュール１４０２は、アプリケーションサーバによって供給されるサービスタイプと、少なくとも１つのセルの過去の負荷とに基づいて、少なくとも１つの時間範囲を決定するよう更に構成される。
【０２１１】
送信モジュール１４０３は、少なくとも１つの時間範囲をアプリケーションサーバへ送信するよう更に構成され、少なくとも１つの時間範囲は、アプリケーションサーバによって、端末のサービスタイプに対応し、データが報告可能である時間範囲を少なくとも１つの時間範囲に基づいて決定するために使用される。
【０２１２】
いくつかの実施形態において、受信モジュール１４０１は、端末によって送信される、端末のサービングセルに関する情報を受信するよう更に構成される。
【０２１３】
いくつかの実施形態において、送信モジュール１４０３は、端末のサービングセルを取得するよう要求するために使用される情報を端末へ送信するよう更に構成される。
【０２１４】
いくつかの実施形態において、受信モジュール１４０１は、端末によって送信される端末の報告タイプを受信するよう更に構成され、報告タイプは、端末のデータ報告タイプが周期的な報告又はイベントによりトリガされる報告であることを示すために使用される。
【０２１５】
いくつかの実施形態において、送信モジュール１４０３は、端末の報告タイプを要求するために使用される情報を端末へ送信するよう更に構成される。
【０２１６】
いくつかの実施形態において、端末の報告タイプがイベントによりトリガされる報告である場合に、受信モジュール１４０１は、アプリケーションサーバによって送信された第２メッセージを受信するよう更に構成され、第２メッセージは、端末によって報告されるデータを要求するために使用される情報を含む。
【０２１７】
いくつかの実施形態において、処理モジュール１４０２は、具体的に、端末がインターネット・オブ・シングスプラットフォームへ接続されることを検出した後に、サービングセルの過去の負荷に基づいて端末のデータ報告時間を決定するよう構成される。
【０２１８】
いくつかの実施形態において、受信モジュール１４０１は、送信モジュールがデータ報告時間を端末へ送信した後に、端末によって送信された第３メッセージを受信するよう更に構成され、第３メッセージは、端末のサービングセルが変化することを示すために使用される情報と、変化したサービングセルに関する情報とを含む。
【０２１９】
処理モジュール１４０２は、変化したサービングセルの過去の負荷に基づいて端末のデータ報告時間を更新するよう更に構成される。
【０２２０】
いくつかの実施形態において、受信モジュール１４０１は、送信モジュール１４０３がデータ報告時間を端末へ送信した後に、アプリケーションサーバ又は端末によって送信された第４メッセージを受するよう更に構成され、第４メッセージは、端末がデータを報告可能である時間範囲が変化することを示すために使用される情報と、データが報告可能である変化した時間範囲とを含む。
【０２２１】
処理モジュール１４０２は、サービングセルの過去の負荷と、データが報告可能である変化した時間範囲とに基づいて、端末のデータ報告時間を更新するよう更に構成される。
【０２２２】
いくつかの実施形態において、受信モジュール１４０１は、送信モジュール１４０３がデータ報告時間を端末へ送信した後に、アプリケーションサーバ又は端末によって送信された第５メッセージを受信するよう更に構成され、第５メッセージは、端末のデータ報告時間を変更するよう指示するために使用される情報を含む。
【０２２３】
処理モジュール１４０２は、サービングセルの過去の負荷と、データが報告可能である時間範囲とに基づいて、端末のデータ報告時間を更新するよう更に構成される。
【０２２４】
いくつかの実施形態において、処理モジュール１４０２は、インターネット・オブ・シングスプラットフォームが上記の解決法のいずれか１つを実行する前に、インターネット・オブ・シングスプラットフォームによってセットされるデータ報告時間を使用することによって実行されるデータ報告を端末がサポートすることを決定するよう更に構成される。
【０２２５】
いくつかの実施形態において、受信モジュール１４０１は、処理モジュール１４０２が、インターネット・オブ・シングスプラットフォームによってセットされるデータ報告時間を使用することによって実行されるデータ報告を端末がサポートすることを決定する前に、端末によって送信された第３情報を受信するよう更に構成され、第３情報は、インターネット・オブ・シングスプラットフォームによってセットされるデータ報告時間に端末がデータを報告することができることを示すために使用される。
【０２２６】
この実施形態における装置は、上記の方法の実施形態におけるインターネット・オブ・シングスプラットフォームの技術的解決法を実行するよう構成されてよい。それらの実施原理及び技術的効果は同様であり、ここで再び記載されない。
【０２２７】
図１５は、本願の他の実施形態に従う通信装置の略構造図である。図１５に示されるように、通信装置は、インターネット・オブ・シングスプラットフォームであってよく、インターネット・オブ・シングスプラットフォームのコンポーネント（例えば、集積回路又はチップ）であってよく、あるいは、他のモジュールであってよく、上記の方法の実施形態のうちのいずれか１つにおけるインターネット・オブ・シングスプラットフォームに対応する動作を実装するよう構成される。この実施形態における通信装置１５００は、メモリ１５０１及びプロセッサ１５０２を含んでよい。メモリ１５０１及びプロセッサ１５０２は、バスを使用することによって接続されてよい。
【０２２８】
メモリ１５０１は、プログラムコード命令を記憶するよう構成される。
【０２２９】
プロセッサ１５０２は、プログラムコードを呼び出し、プログラムコードが実行される場合に、上記の実施形態のうちのいずれか１つにおけるインターネット・オブ・シングスプラットフォームの技術的解決法を実行するよう構成される。
【０２３０】
任意に、この実施形態は、通信インターフェース１５０３を更に含む。通信インターフェース１５０３は、バスを使用することによってプロセッサ１５０２へ接続されてよい。プロセッサ１５０２は、インターネット・オブ・シングスプラットフォームの上記の受信及び送信機能を実装するよう通信インターフェース１５０３を制御してよい。
【０２３１】
この実施形態における装置は、上記の方法の実施形態におけるインターネット・オブ・シングスプラットフォームの技術的解決法を実行するよう構成されてよい。それらの実施原理及び技術的効果は同様であり、ここで再び記載されない。
【０２３２】
図１６は、本願の他の実施形態に従う通信装置の略構造図である。図１６に示されるように、通信装置は、端末であってよく、端末コンポーネント（例えば、集積回路又はチップ）であってよく、あるいは、他のモジュールであってよく、上記の方法の実施形態のうちのいずれか１つにおける端末に対応する動作を実装するよう構成される。この実施形態における通信装置１６００は、受信モジュール１６０１及び送信モジュール１６０２を含んでよい。
【０２３３】
受信モジュール１６０１は、インターネット・オブ・シングスプラットフォームによって送信される端末のデータ報告時間を受信するよう構成される。
【０２３４】
送信モジュール１６０２は、データ報告時間に基づいてインターネット・オブ・シングスプラットフォームへデータを送信するよう構成される。
【０２３５】
いくつかの実施形態において、送信モジュールは、端末がデータを報告可能である時間範囲をインターネット・オブ・シングスプラットフォームへ送信するよう更に構成される。
【０２３６】
いくつかの実施形態において、受信モジュール１６０１は、送信モジュール１６０２が、インターネット・オブ・シングスプラットフォームに対して、端末がデータを報告可能である時間範囲を送信する前に、インターネット・オブ・シングスプラットフォームによって送信された第１情報を受信するよう更に構成され、第１情報は、端末がデータを報告可能である時間範囲を要求するために使用される。
【０２３７】
いくつかの実施形態において、送信モジュール１６０２は、端末のサービングセルに関する情報をインターネット・オブ・シングスプラットフォームへ送信するよう更に構成される。
【０２３８】
いくつかの実施形態において、受信モジュール１６０１は、インターネット・オブ・シングスプラットフォームによって送信され、端末のサービングセルを取得するよう要求するために使用される情報を受信するよう更に構成される。
【０２３９】
いくつかの実施形態において、送信モジュール１６０２は、端末の報告タイプをインターネット・オブ・シングスプラットフォームへ送信するよう更に構成され、報告タイプは、端末のデータ報告タイプが周期的な報告又はイベントによりトリガされる報告であることを示すために使用される。
【０２４０】
いくつかの実施形態において、受信モジュール１６０１は、インターネット・オブ・シングスプラットフォームによって送信され、端末の報告タイプを要求するために使用される情報を受信するよう更に構成される。
【０２４１】
いくつかの実施形態において、受信モジュール１６０１は、インターネット・オブ・シングスプラットフォームによって送信された更新されたデータ報告時間を受信するよう更に構成される。
【０２４２】
送信モジュール１６０２は、更新されたデータ報告時間に基づいてインターネット・オブ・シングスプラットフォームへデータを報告するよう更に構成される。
【０２４３】
いくつかの実施形態において、送信モジュール１６０２は、端末のサービングセルが変化することを示すために使用される情報と、変化したサービングセルに関する情報とを含む第３メッセージをインターネット・オブ・シングスプラットフォームへ送信するか、あるいは、
端末がデータを報告可能である時間範囲が変化することを示すために使用される情報と、データが報告可能である変化した時間範囲とを含む第４メッセージをインターネット・オブ・シングスプラットフォームへ送信するか、あるいは、
端末のデータ報告時間を変更するよう指示するために使用される情報を含む第５メッセージをインターネット・オブ・シングスプラットフォームへ送信する
よう更に構成される。
【０２４４】
いくつかの実施形態において、送信モジュール１６０２は、インターネット・オブ・シングスプラットフォームによってセットされるデータ報告時間で端末がデータを報告することができることを示すために使用される第３情報をインターネット・オブ・シングスプラットフォームへ送信するよう更に構成される。
【０２４５】
この実施形態における装置は、上記の方法の実施形態における端末の技術的解決法を実行するよう構成されてよい。それらの実施原理及び技術的効果は同様であり、ここで再び記載されない。
【０２４６】
図１７は、本願の他の実施形態に従う通信装置の略構造図である。図１７に示されるように、通信装置は、端末であってよく、端末のコンポーネント（例えば、集積回路又はチップ）であってよく、あるいは、他のモジュールであってよく、上記の方法の実施形態のうちのいずれか１つにおける端末に対応する動作を実装するよう構成される。この実施形態における通信装置１７００は、メモリ１７０１及びプロセッサ１７０２を含んでよい。メモリ１７０１及びプロセッサ１７０２は、バスを使用することによって接続されてよい。
【０２４７】
メモリ１７０１は、プログラムコード命令を記憶するよう構成される。
【０２４８】
プロセッサ１７０２は、プログラムコードを呼び出し、プログラムコードが実行される場合に、上記の実施形態のうちのいずれか１つにおける端末の技術的解決法を実行するよう構成される。
【０２４９】
任意に、この実施形態は、通信インターフェース１７０３を更に含む。通信インターフェース１７０３は、バスを使用することによってプロセッサ１７０２へ接続されてよい。プロセッサ１７０２は、端末の上記の受信及び送信機能を実装するよう通信インターフェース１７０３を制御してよい。
【０２５０】
この実施形態における装置は、上記の方法の実施形態における端末の技術的解決法を実行するよう構成されてよい。それらの実施原理及び技術的効果は同様であり、ここで再び記載されない。
【０２５１】
本願のこの実施形態では、モジュール分割は一例であり、単に、論理的な機能分割である。実際の実施中、他の分割様態が使用されてもよい。本願の実施形態における機能モジュールは、１つの処理モジュールに一体化されてよく、あるいは、モジュールの夫々は、物理的に単独で存在してよく、あるいは、２つ以上のモジュールが１つのモジュールに一体化される。一体化されたモジュールは、ハードウェアの形で実装されてよく、あるいは、ソフトウェア機能モジュールの形で実装されてもよい。
【０２５２】
一体化されたモジュールがソフトウェア機能モジュールの形で実装され、独立した製品として販売又は使用される場合に、一体化されたモジュールは、コンピュータ可読記憶媒体に記憶されてよい。そのような理解に基づいて、本願の技術的解決法は本質的に、あるいは、先行技術に寄与する部分、又は技術的解決法の一部若しくは全部は、ソフトウェア製品の形で実装されてよい。ソフトウェア製品は、記憶媒体に記憶され、コンピュータデバイス（パーソナルコンピュータ、サーバ、又はネットワークデバイスであってよい）に、本願の実施形態で記載される方法のステップの全部又は一部を実行するよう指示するためのいくつかの命令を含む。上記の記憶媒体は、ＵＳＢフラッシュドライブ、リムーバブル式ハードディスク、リード・オンリー・メモリ（Read-Only  Memory，ＲＯＭ）、ランダム・アクセス・メモリ（Random  Access  Memory，ＲＡＭ）、磁気ディスク、光ディスクのような、プログラムコードを記憶することができる如何なる媒体も含む。
【０２５３】
上記の実施形態の全部又は一部は、ソフトウェア、ハードウェア、ファームウェア、又はそれらの任意の組み合わせを使用することによって実施されてよい。ソフトウェアが実施形態を実施するために使用される場合に、実施形態は、完全に又は部分的にコンピュータプログラム製品の形で実施されてよい。コンピュータプログラム製品は、１つ以上のコンピュータ命令を含む。コンピュータプログラム命令がコンピュータでロード及び実行される場合に、本願の実施形態に従うプロシージャ又は機能は、全て又は部分的に生成される。コンピュータは、汎用コンピュータ、専用コンピュータ、コンピュータネットワーク、又は他のプログラム可能な装置であってよい。コンピュータ命令は、コンピュータ可読記憶媒体に記憶されてよく、あるいは、コンピュータ可読記憶媒体から他のコンピュータ可読記憶媒体へ伝送されてよい。例えば、コンピュータ命令は、ウェブサイト、コンピュータ、サーバ、又はデータセンターから他のウェブサイト、コンピュータ、サーバ、又はデータセンターへ有線（例えば、同軸ケーブル、光ファイバ、若しくはデジタル加入者回線（ＤＳＬ））又は無線（例えば、赤外線、電波、若しくはマイクロ波）で伝送されてよい。コンピュータ可読記憶媒体は、コンピュータによってアクセス可能な任意の使用可能な媒体又は、１つ以上の使用可能な媒体を組み込むサーバ若しくはデータセンターのようなデータ記憶デバイスであってよい。使用可能な媒体は、磁気媒体（例えば、フロッピーディスク、ハードディスク、又は磁気テープ）、光学媒体（例えば、ＤＶＤ）、半導体媒体（例えば、固体状態ドライブSolid  State  Disk（ＳＳＤ））などであってよい。
【０２５４】
本願は、「COMMUNICATION  METHOD  AND  COMMUNICATIONS  APPARATUS」と題されて２０１８年３月１２日付けで中国国家知識産権局に出願された中国特許出願第２０１８１０２００８９０．９号の優先権を主張するものであり、先の中国出願は、その全文を参照により本願に援用される。
【図１】
2021516908.tif 000004
【図２】
2021516908.tif 000005
【図３】
2021516908.tif 000006
【図４】
2021516908.tif 000007
【図５】
2021516908.tif 000008
【図６】
2021516908.tif 000009
【図７】
2021516908.tif 000010
【図８】
2021516908.tif 000011
【図９】
2021516908.tif 000012
【図１０】
2021516908.tif 000013
【図１１】
2021516908.tif 000014
【図１２】
2021516908.tif 000015
【図１３】
2021516908.tif 000016
【図１４】
2021516908.tif 000017
【図１５】
2021516908.tif 000018
【図１６】
2021516908.tif 000019
【図１７】
2021516908.tif 000020
【手続補正書】
【提出日】令和2年10月2日(2020.10.2)
【手続補正１】
【補正対象書類名】特許請求の範囲
【補正対象項目名】全文
【補正方法】変更
【補正の内容】
【特許請求の範囲】
【請求項１】
インターネット・オブ・シングスプラットフォームによって、端末のサービングセルの過去の負荷を取得することと、
前記インターネット・オブ・シングスプラットフォームによって、前記サービングセルの前記過去の負荷に基づいて前記端末のデータ報告時間を決定することと、
前記インターネット・オブ・シングスプラットフォームによって、前記データ報告時間を前記端末へ送信することと
を有する通信方法。
【請求項２】
前記インターネット・オブ・シングスプラットフォームによって、前記サービングセルの前記過去の負荷に基づいて前記端末のデータ報告時間を決定することは、
前記インターネット・オブ・シングスプラットフォームによって、前記サービングセルの前記過去の負荷に基づいて現在の時間から前もってセットされた期間内の前記サービングセルの予測される負荷を決定することと、
前記インターネット・オブ・シングスプラットフォームによって、前記予測される負荷に基づいて前記端末の前記データ報告時間を決定することと
を有する、
請求項１に記載の通信方法。
【請求項３】
インターネット・オブ・シングスプラットフォームによって、端末のサービングセルの過去の負荷を取得することは、
前記インターネット・オブ・シングスプラットフォームによって、前記端末の前記サービングセルを含む少なくとも１つのセルの過去の負荷を取得することと、
前記インターネット・オブ・シングスプラットフォームによって、前記端末の前記サービングセルに基づいて前記少なくとも１つのセルの過去の負荷から前記サービングセルの過去の負荷を取得することと
を有する、
請求項１又は２に記載の通信方法。
【請求項４】
前記インターネット・オブ・シングスプラットフォームによって、少なくとも１つのセルの過去の負荷を取得することは、
前記インターネット・オブ・シングスプラットフォームによって、ネットワーク管理デバイスから前記少なくとも１つのセルの過去の負荷を取得すること、又は
前記インターネット・オブ・シングスプラットフォームによって、前記端末のサービング基地局である基地局から、該基地局のカバレッジ内のセルである前記少なくとも１つのセルの過去の負荷を取得すること、又は
前記インターネット・オブ・シングスプラットフォームによって、サービス能力公開機能（ＳＣＥＦ）ネットワーク要素から前記少なくとも１つのセルの過去の負荷を取得すること
を有する、
請求項３に記載の通信方法。
【請求項５】
前記インターネット・オブ・シングスプラットフォームによって、ＳＣＥＦから前記少なくとも１つのセルの過去の負荷を取得することは、
前記インターネット・オブ・シングスプラットフォームによって、前記過去の負荷を要求するために使用される情報、前記少なくとも１つのセルの識別情報、及び／又は基地局の識別情報を含む第１メッセージを前記ＳＣＥＦへ送信することであり、前記基地局は、前記端末のサービング基地局であり、前記少なくとも１つのセルは、前記基地局のカバレッジ内のセルである、前記第１メッセージを送信することと、
前記インターネット・オブ・シングスプラットフォームによって、前記ＳＣＥＦによって送信される前記少なくとも１つのセルの識別情報を受信することと
を有する、
請求項４に記載の通信方法。
【請求項６】
前記インターネット・オブ・シングスプラットフォームによって、前記端末がデータを報告可能である時間範囲を取得することを更に有し、
前記インターネット・オブ・シングスプラットフォームによって、前記サービングセルの前記過去の負荷に基づいて前記端末のデータ報告時間を決定することは、
前記インターネット・オブ・シングスプラットフォームによって、前記サービングセルの前記過去の負荷と、データが報告可能である前記時間範囲とに基づいて、前記端末の前記データ報告時間を決定することを有する、
請求項１乃至５のうちいずれか一項に記載の通信方法。
【請求項７】
前記インターネット・オブ・シングスプラットフォームによって、前記端末がデータを報告可能である時間範囲を取得することは、
前記インターネット・オブ・シングスプラットフォームによって、前記端末によって送信される、データが報告可能である前記時間範囲を受信すること、又は
前記インターネット・オブ・シングスプラットフォームによって、前記端末のサービスタイプに対応し、アプリケーションサーバによって送信される時間範囲であって、データが報告可能である該時間範囲を受信すること
を有する、
請求項６に記載の通信方法。
【請求項８】
前記インターネット・オブ・シングスプラットフォームによって、前記端末のサービスタイプに対応し、アプリケーションサーバによって送信される時間範囲であって、データが報告可能である該時間範囲を受信することの前に、当該通信方法は、
前記インターネット・オブ・シングスプラットフォームによって、前記アプリケーションサーバによって送信された第２情報を受信することであり、該第２情報は、前記アプリケーションサーバによって供給されるサービスタイプを示すために使用され、前記アプリケーションサーバによって供給される前記サービスタイプは、前記端末のサービスタイプと同じである、前記第２情報を受信することと、
前記インターネット・オブ・シングスプラットフォームによって、前記アプリケーションサーバによって供給される前記サービスタイプと、前記少なくとも１つのセルの過去の負荷とに基づいて、少なくとも１つの時間範囲を決定することと、
前記インターネット・オブ・シングスプラットフォームによって、前記少なくとも１つの時間範囲を前記アプリケーションサーバへ送信することであり、前記少なくとも１つの時間範囲は、前記アプリケーションサーバによって、前記端末のサービスタイプに対応し、データが報告可能である前記時間範囲を前記少なくとも１つの時間範囲に基づいて決定するために使用される、前記少なくとも１つの時間範囲を送信することと
を更に有する、
請求項７に記載の通信方法。
【請求項９】
前記インターネット・オブ・シングスプラットフォームによって、前記端末によって送信される前記端末の報告タイプを受信することを更に有し、
前記報告タイプは、前記端末のデータ報告タイプが周期的な報告又はイベントによりトリガされる報告であることを示すために使用される、
請求項１乃至８のうちいずれか一項に記載の通信方法。
【請求項１０】
前記端末の前記報告タイプがイベントによりトリガされる報告である場合に、前記インターネット・オブ・シングスプラットフォームによって、前記サービングセルの前記過去の負荷に基づいて前記端末のデータ報告時間を決定することの前に、当該通信方法は、
前記インターネット・オブ・シングスプラットフォームによって、アプリケーションサーバによって送信された第２メッセージを受信することを更に有し、
前記第２メッセージは、前記端末によって報告されるデータを要求するために使用される情報を含む、
請求項９に記載の通信方法。
【請求項１１】
前記インターネット・オブ・シングスプラットフォームによって前記端末のデータ報告時間を決定することの後に、当該通信方法は、
前記インターネット・オブ・シングスプラットフォームによって、前記端末によって送信された第３メッセージを受信することであり、該第３メッセージは、前記端末の前記サービングセルが変化することを示すために使用される情報と、該変化したサービングセルに関する情報とを含む、前記第３メッセージを受信することと、
前記インターネット・オブ・シングスプラットフォームによって、前記変化したサービングセルの過去の負荷に基づいて前記端末の前記データ報告時間を更新することと
を更に有する、
請求項１乃至１０のうちいずれか一項に記載の通信方法。
【請求項１２】
前記インターネット・オブ・シングスプラットフォームによって前記端末のデータ報告時間を決定することの後に、当該通信方法は、
前記インターネット・オブ・シングスプラットフォームによって、アプリケーションサーバ又は前記端末によって送信された第４メッセージを受信することであり、該第４メッセージは、前記端末がデータを報告可能である時間範囲が変化することを示すために使用される情報と、データが報告可能である前記変化した時間範囲とを含む、前記第４メッセージを受信することと、
前記インターネット・オブ・シングスプラットフォームによって、前記サービングセルの前記過去の負荷と、データが報告可能である前記変化した時間範囲とに基づいて、前記端末の前記データ報告時間を更新することと
を更に有する、
請求項１乃至１１のうちいずれか一項に記載の通信方法。
【請求項１３】
前記インターネット・オブ・シングスプラットフォームによって前記端末のデータ報告時間を決定することの後に、当該通信方法は、
前記インターネット・オブ・シングスプラットフォームによって、アプリケーションサーバ又は前記端末によって送信された第５メッセージを受信することであり、該第５メッセージは、前記端末の前記データ報告時間を変更するよう指示するために使用される情報を含む、前記第５メッセージを受信することと、
前記インターネット・オブ・シングスプラットフォームによって、前記サービングセルの前記過去の負荷に基づいて前記端末の前記データ報告時間を更新することと
を更に有する、
請求項１乃至１２のうちいずれか一項に記載の通信方法。
【請求項１４】
前記インターネット・オブ・シングスプラットフォームが請求項１乃至１３のうちいずれか一項に記載の通信方法を実行する前に、前記インターネット・オブ・シングスプラットフォームは、該インターネット・オブ・シングスプラットフォームによってセットされるデータ報告時間に実行されるデータ報告を前記端末がサポートすることを決定する、
請求項１乃至１３のうちいずれか一項に記載の通信方法。
【請求項１５】
前記インターネット・オブ・シングスプラットフォームが、該インターネット・オブ・シングスプラットフォームによってセットされるデータ報告時間に実行されるデータ報告を前記端末がサポートすることを決定する前に、当該通信方法は、
前記インターネット・オブ・シングスプラットフォームによって、前記端末によって送信された第３情報を受信することを更に有し、
前記第３情報は、前記インターネット・オブ・シングスプラットフォームによってセットされるデータ報告時間に実行されるデータ報告を前記端末がサポートすることを示すために使用される、
請求項１４に記載の通信方法。
【請求項１６】
端末によって、インターネット・オブ・シングスプラットフォームに対して、前記端末がデータを報告可能である時間範囲を送信することと、
前記端末によって、前記インターネット・オブ・シングスプラットフォームによって送信される前記端末のデータ報告時間を受信することと、
前記端末によって、前記データ報告時間に基づいて前記インターネット・オブ・シングスプラットフォームへデータを報告することと
を有する通信方法。
【請求項１７】
前記端末によって、該端末がデータを報告可能である時間範囲を前記インターネット・オブ・シングスプラットフォームへ送信することの前に、当該通信方法は、
前記端末によって、前記インターネット・オブ・シングスプラットフォームによって送信された第１情報を受信することを更に有し、
前記第１情報は、前記端末がデータを報告可能である前記時間範囲を要求するために使用される、
請求項１６に記載の通信方法。
【請求項１８】
前記端末によって、該端末の報告タイプを前記インターネット・オブ・シングスプラットフォームへ送信することを更に有し、
前記報告タイプは、前記端末によって実行されるデータ報告が周期的な報告又はイベントによりトリガされる報告であることを示すために使用される、
請求項１６又は１７に記載の通信方法。
【請求項１９】
前記端末によって、前記インターネット・オブ・シングスプラットフォームによって送信された更新されたデータ報告時間を受信することと、
前記端末によって、前記更新されたデータ報告時間に基づいて、前記インターネット・オブ・シングスプラットフォームへデータを報告することと
を更に有する、
請求項１６乃至１８のうちいずれか一項に記載の通信方法。
【請求項２０】
前記端末によって、該端末のサービングセルが変化することを示すために使用される情報と、該変化したサービングセルに関する情報とを含む第３メッセージを前記インターネット・オブ・シングスプラットフォームへ送信すること、又は
前記端末によって、該端末がデータを報告可能である前記時間範囲が変化することを示すために使用される情報と、データが報告可能である前記変化した時間範囲とを含む第４メッセージを前記インターネット・オブ・シングスプラットフォームへ送信すること
を更に有する、
請求項１９に記載の通信方法。
【請求項２１】
前記端末によって、該端末の前記データ報告時間を変更するよう指示するために使用される情報を含む第５メッセージを前記インターネット・オブ・シングスプラットフォームへ送信することを更に有する、
請求項２０に記載の通信方法。
【請求項２２】
前記端末によって、該端末が、前記インターネット・オブ・シングスプラットフォームによってセットされる前記データ報告時間でデータを報告可能であることを示すために使用される第３情報を前記インターネット・オブ・シングスプラットフォームへ送信することを更に有する、
請求項１６乃至２１のうちいずれか一項に記載の通信方法。
【請求項２３】
メモリ及びプロセッサを有し、
前記メモリは、プログラム命令を記憶するよう構成され、
前記プロセッサは、前記メモリ内の前記プログラム命令を呼び出して、請求項１乃至１５のうちいずれか一項に記載の通信方法を実行するよう構成される、
インターネット・オブ・シングスプラットフォーム。
【請求項２４】
通信インターフェースを更に有し、
前記通信インターフェースは、請求項１乃至１５のうちいずれか一項に記載の通信方法における受信及び送信動作を実行するよう構成される、
請求項２３に記載のインターネット・オブ・シングスプラットフォーム。
【請求項２５】
メモリ及びプロセッサを有し、
前記メモリは、プログラム命令を記憶するよう構成され、
前記プロセッサは、前記メモリ内の前記プログラム命令を呼び出して、請求項１６乃至２２のうちいずれか一項に記載の通信方法を実行するよう構成される、
端末。
【請求項２６】
通信インターフェースを更に有し、
前記通信インターフェースは、請求項１６乃至２２のうちいずれか一項に記載の通信方法における受信及び送信動作を実行するよう構成される、
請求項２５に記載の端末。
【請求項２７】
コンピュータプログラムであって、
前記コンピュータプログラムがコンピュータで実行される場合に、該コンピュータに請求項１乃至２２のうちいずれか一項の通信方法を実行させる、
コンピュータプログラム。
【請求項２８】
請求項２７に記載のコンピュータプログラムを記憶しているコンピュータ可読記憶媒体。
【手続補正２】
【補正対象書類名】明細書
【補正対象項目名】００１０
【補正方法】変更
【補正の内容】
【００１０】
可能な設計で、インターネット・オブ・シングスプラットフォームによって少なくとも１つのセルの過去の負荷を取得することは、インターネット・オブ・シングスプラットフォームによって、基地局から前記少なくとも１つのセルの過去の負荷を取得することを含み、基地局は、端末のサービング基地局であり、少なくとも１つのセルは、基地局のカバレッジ内のセルである。
【手続補正３】
【補正対象書類名】明細書
【補正対象項目名】０１６５
【補正方法】変更
【補正の内容】
【０１６５】
この実施形態で、インターネット・オブ・シングスプラットフォームは、端末がデータを報告可能である時間範囲を更に取得する。データが報告可能である時間範囲は、端末がインターネット・オブ・シングスプラットフォームへデータを報告することができる時間範囲であり、端末がこの時間範囲内でデータを報告することを示す。例えば、時間範囲は９時から１１時である。
【手続補正４】
【補正対象書類名】明細書
【補正対象項目名】０１９３
【補正方法】変更
【補正の内容】
【０１９３】
いくつかの実施形態において、上記の実施形態におけるデータ報告時間フィールド、報告周期フィールド、報告数フィールド、データが報告可能である時間範囲のフィールド、及び報告タイプフィールドは、スケジュールオブジェクトを使用することによって運ばれてよい。例えば、スケジュールオブジェクトは、次の表１に示される内容を含む。
【表１】
2021516908.tif 000021
【手続補正５】
【補正対象書類名】明細書
【補正対象項目名】０１９４
【補正方法】変更
【補正の内容】
【０１９４】
図１４は、本願の実施形態に従う通信装置の略構造図である。図１４に示されるように、通信装置は、インターネット・オブ・シングスプラットフォームであってよく、インターネット・オブ・シングスプラットフォームのコンポーネント（例えば、集積回路又はチップ）であってよく、あるいは、他のモジュールであってよく、上記の方法の実施形態のうちのいずれか１つにおけるインターネット・オブ・シングスプラットフォームに対応する動作を実装するよう構成される。この実施形態における通信装置１４００は、受信モジュール１４０１、処理モジュール１４０２、及び送信モジュール１４０３を含んでよい。
【手続補正６】
【補正対象書類名】明細書
【補正対象項目名】０２０９
【補正方法】変更
【補正の内容】
【０２０９】
いくつかの実施形態において、受信モジュール１４０１は、アプリケーションサーバによって送信された第２情報を受信するよう更に構成され、第２情報は、アプリケーションサーバによって供給されるサービスタイプを示すために使用され、アプリケーションサーバによって供給されるサービスタイプは、端末のサービスタイプと同じである。
【国際調査報告】
2021516908.tif 000022
2021516908.tif 000023
2021516908.tif 000024
2021516908.tif 000025